(57)【特許請求の範囲】
【請求項１】
利用者を所定の回数撮影する撮影部と、
前記撮影部による撮影の結果、得られた第１の画像と、写真シール作成装置が設置されている地域を示す第１の情報を関連付けて、他の装置に供給する供給部と、
前記他の装置から、写真シール作成装置が設置されている地域を示す第２の情報と関連付けられた前記利用者の画像であり、前記第１の画像とは異なる第２の画像を取得する取得部と、
前記取得部により取得された前記第２の画像のうち、前記第１の情報と一致する前記第２の情報と関連付けられている第２の画像を抽出する抽出部と、
前記抽出部により抽出された前記第２の画像を表示する表示部と、
前記表示部に表示された前記第２の画像に対する前記利用者による選択を受け付ける受付部と
を備える写真シール作成装置。
【請求項２】
前記第１の情報は、メンテナンス画面で設定される
請求項１に記載の写真シール作成装置。
【請求項３】
電源がオフにされてから所定の時間が経過した後に、電源がオンにされた場合、前記メンテナンス画面を表示し、前記第１の情報の再設定を行う
請求項２に記載の写真シール作成装置。
【請求項４】
前記利用者の属性を、前記第１の画像と前記第２の情報にさらに関連付ける
請求項１乃至３のいずれかに記載の写真シール作成装置。
【請求項５】
前記利用者の属性は、前記利用者のメールアドレス、前記写真シール作成装置で撮影を行ったときに付与されるＩＤのいずれかである
請求項４に記載の写真シール作成装置。
【請求項６】
前記撮影部は、複数の利用者を個別に撮影し、前記個別に撮影された前記利用者の画像を、前記第１の画像として前記他の装置に供給する
請求項１乃至５のいずれかに記載の写真シール作成装置。
【請求項７】
前記撮影部は、複数の利用者を撮影し、前記撮影された撮影画像から利用者毎の画像を切り出し、その切り出された画像を、前記第１の画像として前記他の装置に供給する
請求項１乃至５のいずれかに記載の写真シール作成装置。
【請求項８】
コンテストの開催を告知する期間、前記コンテストへのエントリーを受け付ける期間、前記コンテストにおける投票の開始を告知する期間、前記投票を受け付ける期間、および前記投票の結果を告知する期間では、異なる画面を表示する
請求項１乃至７のいずれかに記載の写真シール作成装置。
【請求項９】
前記投票は、地域毎に行われる投票と、前記地域よりも広い範囲で行われる投票とがある
請求項８に記載の写真シール作成装置。
【請求項１０】
前記コンテストへのエントリー受け付け画面は、所定のコースを選択した利用者に提示され、
前記エントリー受け付け画面でエントリーするというボタンが操作された場合の画面と、前記ボタンが操作されなかった場合の画面とは異なる画面を提示する
請求項８に記載の写真シール作成装置。
【請求項１１】
選択された前記第２の画像に、前記利用者が用いた入力装置を識別するマークを表示する
請求項１乃至１０のいずれかに記載の写真シール作成装置。
【請求項１２】
前記選択が行われるときに前記利用者に提示される画面のうち、選択対象となる複数の第２の画像の配置は、所定の条件が満たされる毎に変更される
請求項１乃至１１のいずれかに記載の写真シール作成装置。
【請求項１３】
前記所定の条件は、ゲーム毎、所定の時間経過毎、前記利用者が選択したコース、所定のサイトの会員であるか否かのいずれかの条件である
請求項１２に記載の写真シール作成装置。
【請求項１４】
利用者を所定の回数撮影する撮影部を備える写真シール作成装置の処理方法において、
前記撮影部による撮影の結果、得られた第１の画像と、写真シール作成装置が設置されている地域を示す第１の情報を関連付けて、他の装置に供給し、
前記他の装置から、写真シール作成装置が設置されている地域を示す第２の情報と関連付けられた前記利用者の画像であり、前記第１の画像とは異なる第２の画像を取得し、
取得された前記第２の画像のうち、前記第１の情報と一致する前記第２の情報と関連付けられている第２の画像を抽出し、
抽出された前記第２の画像を表示し、
表示された前記第２の画像に対する前記利用者による選択を受け付ける
ステップを含む写真シール作成装置の処理方法。
【請求項１５】
写真シール作成装置が設置されている地域に関する第１の情報が関連付けられた前記写真シール作成装置で撮影された第１の画像を取得する取得部と、
複数の写真シール作成装置から前記取得部により取得された前記第１の画像と前記第１の情報を記憶する記憶部と、
前記記憶部に記憶されている複数の第１の画像が用いられて審査が行われ、その審査を通過した前記写真シール作成装置の利用者の第２の画像を、前記写真シール作成装置が設置されている地域を示す第２の情報と関連付けて前記写真シール作成装置に供給する供給部と
を備える情報処理装置。
【請求項１６】
前記第２の画像は、写真シール作成装置以外で撮影された画像である
請求項１５に記載の情報処理装置。
【請求項１７】
前記第１の画像は、コンテストへのエントリー用の画像として用いられ、
前記第２の画像は、前記コンテストにおける投票用の画像として用いられ、
前記写真シール作成装置との通信は、第１の暗号化方式で行われ、
前記コンテストの投票を管理するサーバとの通信は、第２の暗号化方式で行われる
請求項１５または１６に記載の情報処理装置。
【請求項１８】
写真シール作成装置が設置されている地域に関する第１の情報と関連付けられた前記写真シール作成装置で撮影された第１の画像を取得し、
複数の写真シール作成装置から取得された前記第１の画像と前記第１の情報を記憶し、
記憶されている複数の第１の画像が用いられて審査が行われ、その審査を通過した前記写真シール作成装置の利用者の第２の画像を、前記写真シール作成装置が設置されている地域を示す第２の情報と関連付けて前記写真シール作成装置に供給する
ステップを含む情報処理方法。
【請求項１９】
写真シール作成装置と情報処理装置から構成される情報処理システムにおいて、
前記写真シール作成装置は、
利用者を所定の回数撮影する撮影部と、
前記撮影部による撮影の結果、得られた第１の画像と、前記写真シール作成装置が設置されている地域を示す第１の情報を関連付けて、前記情報処理装置に供給する第１の供給部と、
前記情報処理装置から、写真シール作成装置が設置されている地域を示す第２の情報と関連付けられた前記利用者の画像であり、前記第１の画像とは異なる第２の画像を取得する第１の取得部と、
前記取得部により取得された前記第２の画像のうち、前記第１の情報と一致する前記第２の情報と関連付けられている第２の画像を抽出する抽出部と、
前記抽出部により抽出された前記第２の画像を表示する表示部と、
前記表示部に表示された前記第２の画像に対する前記利用者による選択を受け付ける受付部と
を備え、
前記情報処理装置は、
前記写真シール作成装置の第１の供給部により供給された前記第１の画像と前記第１の情報を取得する第２の取得部と、
複数の写真シール作成装置から前記第２の取得部により取得された前記第１の画像と前記第１の情報を記憶する記憶部と、
前記記憶部に記憶されている複数の第１の画像が用いられて審査が行われ、その審査を通過した前記写真シール作成装置の利用者の画像を、前記第２の画像として、前記第２の情報と関連付けて前記写真シール作成装置に供給する第２の供給部と
を備える
情報処理システム。
【請求項２０】
前記第１の画像は、コンテストへのエントリー用の画像として用いられ、
前記第２の画像は、前記コンテストにおける投票用の画像として用いられ、
前記コンテストにおける投票を前記写真シール作成装置以外の端末で行うときのサイトを管理する管理サーバをさらに備え、
前記写真シール作成装置と前記情報処理装置との通信は、第１の暗号化方式で行われ、
前記情報処理装置と前記管理サーバとの通信は、第２の暗号化方式で行われる
請求項１９に記載の情報処理システム。
【発明の詳細な説明】
【技術分野】
【０００１】
本技術は、写真シール作成装置、写真シール作成装置の処理方法、情報処理装置、情報処理方法、情報処理システムに関する。詳しくは、コンテストに気楽に参加、投票できる写真シール作成装置、写真シール作成装置の処理方法、情報処理装置、情報処理方法、情報処理システムに関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。写真シール作成装置によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００３】
このような写真シール作成装置において撮影された画像を登録させ、その登録された画像に対して好みの画像を投票させ、その投票数により画像の人気ランキングを表示するものがある。（例えば、特許文献１参照）
【先行技術文献】
【特許文献】
【０００４】
【特許文献１】特許第５１９６２８２号
【発明の概要】
【発明が解決しようとする課題】
【０００５】
１台の写真シール作成装置で、撮影から投票までが完結された場合、写真シール作成装置が設置されている場所により１位になりやすい場所と、なりづらい場所とがあり、不公平感が生じてしまう可能性がある。
【０００６】
利用者が多い写真シール作成装置においては、多くの利用者が画像を登録し、多くの利用者が投票するため、ランキングの上位になるのは難しい。一方で、利用者の少ない写真シール作成装置においては、少ない利用者が画像を登録し、少ない利用者が投票するため、ランキングの上位になるのは比較的容易である。
【０００７】
このように、写真シール作成装置の利用者数、つまり、設置場所による利用者の増減により、ランキングの上位になる可能性が異なると、このような投票に対する不公平感が生じ、満足感が低下し、写真シール作成装置の集客率が低下してしまう可能性があった。
【０００８】
本技術は、このような状況に鑑みてなされたものであり、写真シール作成装置の設置場所などに依存しない公平な投票を行えるようにすることができるようにするものである。
【課題を解決するための手段】
【０００９】
本技術の一側面の写真シール作成装置は、利用者を所定の回数撮影する撮影部と、前記撮影部による撮影の結果、得られた第１の画像と、写真シール作成装置が設置されている地域を示す第１の情報を関連付けて、他の装置に供給する供給部と、前記他の装置から、写真シール作成装置が設置されている地域を示す第２の情報と関連付けられた前記利用者の画像であり、前記第１の画像とは異なる第２の画像を取得する取得部と、前記取得部により取得された前記第２の画像のうち、前記第１の情報と一致する前記第２の情報と関連付けられている第２の画像を抽出する抽出部と、前記抽出部により抽出された前記第２の画像を表示する表示部と、前記表示部に表示された前記第２の画像に対する前記利用者による選択を受け付ける受付部とを備える。
【００１２】
前記第１の情報は、メンテナンス画面で設定されるようにすることができる。
【００１３】
電源がオフにされてから所定の時間が経過した後に、電源がオンにされた場合、前記メンテナンス画面を表示し、前記第１の情報の再設定を行うようにすることができる。
【００１４】
前記利用者の属性を、前記第１の画像と前記第２の情報にさらに関連付けるようにすることができる。
【００１５】
前記利用者の属性は、前記利用者のメールアドレス、前記写真シール作成装置で撮影を行ったときに付与されるＩＤのいずれかであるようにすることができる。
【００１６】
前記撮影部は、複数の利用者を個別に撮影し、前記個別に撮影された前記利用者の画像を、前記第１の画像として前記他の装置に供給するようにすることができる。
【００１７】
前記撮影部は、複数の利用者を撮影し、前記撮影された撮影画像から利用者毎の画像を切り出し、その切り出された画像を、前記第１の画像として前記他の装置に供給するようにすることができる。
【００１８】
コンテストの開催を告知する期間、前記コンテストへのエントリーを受け付ける期間、前記コンテストにおける投票の開始を告知する期間、前記投票を受け付ける期間、および前記投票の結果を告知する期間では、異なる画面を表示するようにすることができる。
【００１９】
前記投票は、地域毎に行われる投票と、前記地域よりも広い範囲で行われる投票とがあるようにすることができる。
【００２０】
前記コンテストへのエントリー受け付け画面は、所定のコースを選択した利用者に提示され、前記エントリー受け付け画面でエントリーするというボタンが操作された場合の画面と、前記ボタンが操作されなかった場合の画面とは異なる画面を提示するようにすることができる。
【００２１】
選択された前記第２の画像に、前記利用者が用いた入力装置を識別するマークを表示するようにすることができる。
【００２２】
前記選択が行われるときに前記利用者に提示される画面のうち、選択対象となる複数の第２の画像の配置は、所定の条件が満たされる毎に変更されるようにすることができる。
【００２３】
前記所定の条件は、ゲーム毎、所定の時間経過毎、前記利用者が選択したコース、所定のサイトの会員であるか否かのいずれかの条件であるようにすることができる。
【００２４】
本技術の一側面の写真シール作成装置の処理方法は、利用者を所定の回数撮影する撮影部を備える写真シール作成装置の処理方法において、前記撮影部による撮影の結果、得られた第１の画像と、写真シール作成装置が設置されている地域を示す第１の情報を関連付けて、他の装置に供給し、前記他の装置から、写真シール作成装置が設置されている地域を示す第２の情報と関連付けられた前記利用者の画像であり、前記第１の画像とは異なる第２の画像を取得し、取得された前記第２の画像のうち、前記第１の情報と一致する前記第２の情報と関連付けられている第２の画像を抽出し、抽出された前記第２の画像を表示し、表示された前記第２の画像に対する前記利用者による選択を受け付けるステップを含む。
【００２５】
本技術の一側面の情報処理装置は、写真シール作成装置が設置されている地域に関する第１の情報が関連付けられた前記写真シール作成装置で撮影された第１の画像を取得する取得部と、複数の写真シール作成装置から前記取得部により取得された前記第１の画像と前記第１の情報を記憶する記憶部と、前記記憶部に記憶されている複数の第１の画像が用いられて審査が行われ、その審査を通過した前記写真シール作成装置の利用者の第２の画像を、前記写真シール作成装置が設置されている地域を示す第２の情報と関連付けて前記写真シール作成装置に供給する供給部とを備える。
【００２６】
前記第２の画像は、写真シール作成装置以外で撮影された画像であるようにすることができる。
【００２７】
前記第１の画像は、コンテストへのエントリー用の画像として用いられ、前記第２の画像は、前記コンテストにおける投票用の画像として用いられ、前記写真シール作成装置との通信は、第１の暗号化方式で行われ、前記コンテストの投票を管理するサーバとの通信は、第２の暗号化方式で行われるようにすることができる。
【００２８】
本技術の一側面の情報処理方法は、写真シール作成装置が設置されている地域に関する第１の情報と関連付けられた前記写真シール作成装置で撮影された第１の画像を取得し、複数の写真シール作成装置から取得された前記第１の画像と前記第１の情報を記憶し、記憶されている複数の第１の画像が用いられて審査が行われ、その審査を通過した前記写真シール作成装置の利用者の第２の画像を、前記写真シール作成装置が設置されている地域を示す第２の情報と関連付けて前記写真シール作成装置に供給するステップを含む。
【００２９】
本技術の一側面の情報処理システムは、写真シール作成装置と情報処理装置から構成される情報処理システムにおいて、前記写真シール作成装置は、利用者を所定の回数撮影する撮影部と、前記撮影部による撮影の結果、得られた第１の画像と、前記写真シール作成装置が設置されている地域を示す第１の情報を関連付けて、前記情報処理装置に供給する第１の供給部と、前記情報処理装置から、写真シール作成装置が設置されている地域を示す第２の情報と関連付けられた前記利用者の画像であり、前記第１の画像とは異なる第２の画像を取得する第１の取得部と、前記取得部により取得された前記第２の画像のうち、前記第１の情報と一致する前記第２の情報と関連付けられている第２の画像を抽出する抽出部と、前記抽出部により抽出された前記第２の画像を表示する表示部と、前記表示部に表示された前記第２の画像に対する前記利用者による選択を受け付ける受付部とを備え、前記情報処理装置は、前記写真シール作成装置の第１の供給部により供給された前記第１の画像と前記第１の情報を取得する第２の取得部と、複数の写真シール作成装置から前記第２の取得部により取得された前記第１の画像と前記第１の情報を記憶する記憶部と、前記記憶部に記憶されている複数の第１の画像が用いられて審査が行われ、その審査を通過した前記写真シール作成装置の利用者の画像を、前記第２の画像として、前記第２の情報と関連付けて前記写真シール作成装置に供給する第２の供給部とを備える。
【００３０】
前記第１の画像は、コンテストへのエントリー用の画像として用いられ、前記第２の画像は、前記コンテストにおける投票用の画像として用いられ、前記コンテストにおける投票を前記写真シール作成装置以外の端末で行うときのサイトを管理する管理サーバをさらに備え、前記写真シール作成装置と前記情報処理装置との通信は、第１の暗号化方式で行われ、前記情報処理装置と前記管理サーバとの通信は、第２の暗号化方式で行われるようにすることができる。
【００３１】
本技術の一側面の写真シール作成装置、写真シール作成装置の処理方法においては、利用者が所定の回数撮影され、撮影部による撮影の結果、得られた第１の画像と、写真シール作成装置が設置されている地域を示す第１の情報が関連付けられて、他の装置に供給され、他の装置から、写真シール作成装置が設置されている地域を示す第２の情報と関連付けられた利用者の画像であり、第１の画像とは異なる第２の画像が取得され、取得された第２の画像のうち、第１の情報と一致する第２の情報と関連付けられている第２の画像が抽出され、抽出された第２の画像が表示され、表示された第２の画像に対する利用者による選択が受け付けられる。
【００３２】
本技術の一側面の情報処理装置、情報処理方法においては、写真シール作成装置が設置されている地域に関する第１の情報と関連付けられた写真シール作成装置で撮影された第１の画像が取得され、複数の写真シール作成装置から取得された第１の画像と第１の情報が記憶され、記憶されている複数の第１の画像が用いられて審査が行われ、その審査を通過した写真シール作成装置の利用者の第２の画像が、写真シール作成装置が設置されている地域を示す第２の情報と関連付けられて写真シール作成装置に供給される。
【００３３】
本技術の一側面の情報処理システムにおいては、写真シール作成装置と情報処理装置から構成される。写真シール作成装置は、利用者を所定の回数撮影する撮影部と、撮影部による撮影の結果、得られた第１の画像と、写真シール作成装置が設置されている地域を示す第１の情報を関連付けて、情報処理装置に供給する第１の供給部と、情報処理装置から、写真シール作成装置が設置されている地域を示す第２の情報と関連付けられた利用者の画像であり、第１の画像とは異なる第２の画像を取得する第１の取得部と、取得部により取得された第２の画像のうち、第１の情報と一致する第２の情報と関連付けられている第２の画像を抽出する抽出部と、抽出部により抽出された第２の画像を表示する表示部と、表示部に表示された第２の画像に対する利用者による選択を受け付ける受付部とを備える。情報処理装置は、写真シール作成装置の第１の供給部により供給された第１の画像と第１の情報を取得する第２の取得部と、複数の写真シール作成装置から第２の取得部により取得された第１の画像と第１の情報を記憶する記憶部と、記憶部に記憶されている複数の第１の画像が用いられて審査が行われ、その審査を通過した写真シール作成装置の利用者の画像を、第２の画像として、第２の情報と関連付けて写真シール作成装置に供給する第２の供給部とを備える。
【発明の効果】
【００３４】
本技術の一側面によれば、写真シール作成装置の設置場所などに依存しない公平な投票を行えるようになる。
【００３５】
なお、ここに記載された効果は必ずしも限定されるものではなく、本開示中に記載されたいずれかの効果であってもよい。
【図面の簡単な説明】
【００３６】
【図１】本技術の一実施の形態に係る写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】事前選択処理部の機能構成例を示すブロック図である。
【図１２】撮影処理部の機能構成例を示すブロック図である。
【図１３】編集処理部の機能構成例を示すブロック図である。
【図１４】写真シール作成ゲーム処理について説明するフローチャートである。
【図１５】事前選択処理について説明するフローチャートである。
【図１６】人数コース選択画面の例を示す図である。
【図１７】撮影処理について説明するフローチャートである。
【図１８】写り選択用画像の撮影時の表示画面の例を示す図である。
【図１９】写り選択用画像の撮影時の表示画面の例を示す図である。
【図２０】撮影結果確認画面の例を示す図である。
【図２１】編集処理について説明するフローチャートである。
【図２２】背景選択画面の例を示す図である。
【図２３】コンテストに係わるシステムの構成を示す図である。
【図２４】コンテストの流れについて説明するための図である。
【図２５】地域情報の設定時のメンテナンス画面の一例を示す図である。
【図２６】地域情報の設定時のメンテナンス画面の一例を示す図である。
【図２７】地域情報の設定時のメンテナンス画面の一例を示す図である。
【図２８】コンテストに係わる処理について説明するためのフローチャートである。
【図２９】開催告知処理について説明するためのフローチャートである。
【図３０】開催告知画面の一例を示す図である。
【図３１】開催告知画面の一例を示す図である。
【図３２】エントリー受け付け処理について説明するためのフローチャートである。
【図３３】エントリー画面の一例を示す図である。
【図３４】エントリー画面の一例を示す図である。
【図３５】エントリー画面の一例を示す図である。
【図３６】エントリー画面の一例を示す図である。
【図３７】エントリー画面の一例を示す図である。
【図３８】エントリー画面の一例を示す図である。
【図３９】エントリー画面の一例を示す図である。
【図４０】エントリー画面の一例を示す図である。
【図４１】地方投票開催告知処理について説明するためのフローチャートである。
【図４２】地方投票開催告知画面の一例を示す図である。
【図４３】地方投票開催告知画面の一例を示す図である。
【図４４】地方投票受け付け処理について説明するためのフローチャートである。
【図４５】地方投票受け付け画面の一例を示す図である。
【図４６】地方投票受け付け画面の一例を示す図である。
【図４７】地方投票受け付け画面の一例を示す図である。
【図４８】地方投票受け付け画面の一例を示す図である。
【図４９】地方投票受け付け画面の一例を示す図である。
【図５０】全国大会開催告知処理について説明するためのフローチャートである。
【図５１】全国大会開催告知画面の一例を示す図である。
【図５２】全国大会開催告知画面の一例を示す図である。
【図５３】全国投票受け付け処理について説明するためのフローチャートである。
【図５４】全国投票受け付け画面の一例を示す図である。
【図５５】全国投票受け付け画面の一例を示す図である。
【図５６】全国投票受け付け画面の一例を示す図である。
【図５７】全国投票受け付け画面の一例を示す図である。
【図５８】最終結果発表日告知処理について説明するためのフローチャートである。
【図５９】最終結果発表日告知画面の一例を示す図である。
【図６０】最終結果発表日告知画面の一例を示す図である。
【図６１】最終結果発表処理について説明するためのフローチャートである。
【図６２】最終結果発表画面の一例を示す図である。
【図６３】最終結果発表画面の一例を示す図である。
【発明を実施するための形態】
【００３７】
＜写真シール作成装置の外観構成＞
図１および図２は、写真シール作成装置１の外観の構成例を示す斜視図である。
【００３８】
写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００３９】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００４０】
図１に示すように、写真シール作成装置１は、基本的に、撮影ユニット１１と編集ユニット１２が接した状態で設置されることによって構成される。
【００４１】
撮影ユニット１１は、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて設置される。撮影部２１と背景部２２の間に形成される空間が、撮影処理が行われる撮影空間となる。
【００４２】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００４３】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置されるものとする。なお、事前選択部２０は、側面パネル４１Ｂに設置されるようにしてもよいし、側面パネル４１Ａ，４１Ｂの両方に設置されるようにしてもよい。
【００４４】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００４５】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００４６】
なお、背面パネル５１の撮影空間側の面には、例えば緑色のクロマキー用のシートが貼り付けられる。写真シール作成装置１は、クロマキー用のシートを背景として撮影することで、撮影処理や編集処理においてクロマキー合成を行う。これにより、利用者が所望する背景画像がシートの部分に合成される。
【００４７】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００４８】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００４９】
編集ユニット１２は、撮影画像に編集を施すための装置である。編集ユニット１２は、一方の側面が撮影部２１の正面パネル４２に接するようにして、撮影ユニット１１に連結している。
【００５０】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００５１】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００５２】
編集ユニット１２の上方にはカーテンレール２６が取り付けられる。カーテンレール２６は、３本のレール２６Ａ乃至２６Ｃが、組み合わせられて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００５３】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００５４】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００５５】
＜利用者の移動について＞
ここで、写真シール作成ゲームの流れと、それに伴う利用者の移動について説明する。図３は、写真シール作成装置１を上から見た平面図である。
【００５６】
まず、利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００５７】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。そして利用者は、撮影部２１に設けられたカメラやタッチパネルモニタなど利用して撮影作業を行う。
【００５８】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００５９】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００６０】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００６１】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の写真シール作成ゲームを終える。
【００６２】
次に、各装置の構成について説明する。
【００６３】
＜事前選択部の構成＞
図４は、事前選択部２０の構成例を示す図である。
【００６４】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影に関するコースの選択などを行わせる事前選択処理に用いられる画面が表示される。
【００６５】
タッチパネルモニタ７１の下方には、スピーカ７２が設けられる。スピーカ７２は、事前選択処理の案内音声、BGM（Back Ground Music）、効果音などを出力する。また、スピーカ７２に隣接するようにして、利用者が硬貨を入れる硬貨投入返却口７３が設けられる。
【００６６】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００６７】
正面パネル４２の中央には、カメラユニット８１が設けられる。カメラユニット８１は、カメラ９１およびタッチパネルモニタ９２から構成される。
【００６８】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００６９】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。タッチパネルモニタ９２には、カメラ９１により取り込まれた動画像（ライブビュー画像）や静止画像（撮影画像）が表示される。
【００７０】
カメラユニット８１の上方には、曲面の発光面を利用者に向けた上ストロボ８２が設置される。上ストロボ８２は、正面上方から利用者の顔および上半身に光を照射する。
【００７１】
カメラユニット８１の左方には、平面の発光面を利用者に向けた左ストロボ８３が設置される。左ストロボ８３は、正面左方から利用者の顔および上半身に光を照射する。カメラユニット８１の右方には、平面の発光面を利用者に向けた右ストロボ８４が設置される。右ストロボ８４は、正面右方から利用者の顔および上半身に光を照射する。
【００７２】
また、カメラユニット８１の下方には、利用者の下半身および足元に光を照射する足元ストロボ８５が設けられる。
【００７３】
なお、図示はしないが、正面パネル４２の例えば天井付近には、スピーカが設けられる。そのスピーカは、撮影処理の案内音声、BGM、効果音などを出力する。
【００７４】
＜背景部の構成＞
図６は、背景部２２の撮影空間Ａ１側の構成例を示す図である。
【００７５】
背面パネル５１の上方には、背面上ストロボ１０１が設置される。背面上ストロボ１０１は、背面上方から利用者に光を照射する。
【００７６】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００７７】
また、背面パネル５１の撮影空間Ａ１側（図中、手前側）の面には、クロマキーシート１２１が貼り付けられる。クロマキーシート１２１の色は、例えば緑色とされる。
【００７８】
なお、図示はしないが、側面パネル５２Ａ，５２Ｂの撮影空間Ａ１側の面にも、クロマキーシート１２１と同様に、クロマキーシートが貼り付けられる。
【００７９】
＜編集ユニットの構成＞
図７は、編集ユニット１２の正面側（編集空間Ａ２−１側）の構成例を示す図である。
【００８０】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００８１】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００８２】
図８は、編集ユニット１２の左側面の構成例を示す図である。
【００８３】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００８４】
＜写真シール作成装置の内部構成＞
図９は、写真シール作成装置１の内部の構成例を示すブロック図である。図９において、上述した構成と同じ構成には同じ符号を付してある。重複する説明については適宜省略する。
【００８５】
制御部２０１はCPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前選択部２０８、撮影部２０９、編集部２１０Ａ，２１０Ｂ、および印刷部２１１の各構成も接続される。
【００８６】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００８７】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００８８】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００８９】
ROM２０６は、制御部２０１において実行されるプログラムやデータを記憶する。RAM２０７は、制御部２０１が処理するデータやプログラムを一時的に記憶する。
【００９０】
事前選択部２０８は、事前選択空間Ａ０にいる利用者を対象とした事前選択処理を実現する。事前選択部２０８は、タッチパネルモニタ７１、スピーカ７２、および硬貨処理部２２１から構成される。
【００９１】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の設定が行われる。
【００９２】
硬貨処理部２２１は、硬貨投入返却口７３への硬貨の投入を検出する。硬貨処理部２２１は、所定の金額分の硬貨が投入されたことを検出した場合、ゲームの開始を指示する起動信号を制御部２０１に出力する。
【００９３】
撮影部２０９は、撮影空間Ａ１にいる利用者を対象とした撮影処理を実現する。撮影部２０９は、照明装置２３１、カメラ９１、タッチパネルモニタ９２、およびスピーカ２３２から構成される。
【００９４】
照明装置２３１は、撮影空間Ａ１内の各ストロボであり、制御部２０１から供給される照明制御信号に従って発光する。
【００９５】
カメラ９１は、制御部２０１によるシャッタ制御に従って撮影を行い、撮影によって得られた撮影画像（画像データ）を制御部２０１に出力する。
【００９６】
編集部２１０Ａは、編集空間Ａ２−１にいる利用者を対象とした編集処理を実現する。編集部２１０Ａは、タブレット内蔵モニタ１３１、タッチペン１３２Ａ，１３２Ｂ、およびスピーカ２４１から構成される。編集部２１０Ｂは、編集空間Ａ２−２にいる利用者を対象とした編集処理を実現し、編集部２１０Ａと同一の構成を有する。なお、以下、編集部２１０Ａ，２１０Ｂを特に区別しない場合には、単に、編集部２１０という。
【００９７】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００９８】
印刷部２１１は、印刷待ち空間Ａ３にいる利用者に、印刷済みのシール紙を提供する印刷処理を実現する。印刷部２１１は、プリンタ２５１を含むように構成される。プリンタ２５１にはシール紙ユニット２５２が装着される。
【００９９】
プリンタ２５１は、制御部２０１から供給された印刷データに基づいて、編集画像をシール紙ユニット２５２に収納されているシール紙２６１に印刷し、シール紙排出口１６１に排出する。
【０１００】
＜制御部の構成＞
図１０は、制御部２０１の機能構成例を示すブロック図である。図１０に示す機能部のうちの少なくとも一部は、制御部２０１内のCPUにより所定のプログラムが実行されることによって実現される。これにより、写真シール作成装置１は、画像提供装置として機能する。
【０１０１】
制御部２０１は、事前選択処理部３０１、撮影処理部３０２、編集処理部３０３、および印刷処理部３０４から構成される。
【０１０２】
事前選択処理部３０１は、事前選択部２０８の各部を制御することで、事前選択処理を行う。撮影処理部３０２は、撮影部２０９の各部を制御することで、撮影処理を行う。編集処理部３０３は、編集部２１０の各部を制御することで、編集処理を行う。印刷処理部３０４は、印刷部２１１のプリンタ２５１を制御することで、印刷処理を行う。
【０１０３】
＜事前選択処理部の構成例＞
図１１は、事前選択処理部３０１の機能構成例を示すブロック図である。
【０１０４】
事前選択処理部３０１は、表示制御部３１１、入力受付部３１２、およびガイダンス出力制御部３１３から構成される。
【０１０５】
表示制御部３１１は、タッチパネルモニタ７１の表示を制御する。例えば、表示制御部３１１は、撮影空間において行われる撮影に関するコースの選択のための選択画面などをタッチパネルモニタ７１に表示させる。
【０１０６】
入力受付部３１２は、タッチパネルモニタ７１に対する、利用者の操作入力を受け付ける。具体的には、入力受付部３１２は、タッチパネルモニタ７１に表示された選択画面に対する選択の操作入力を受け付ける。
【０１０７】
ガイダンス出力制御部３１３は、各種の選択操作を説明するガイダンスの出力を制御する。ガイダンス出力制御部３１３は、各種の選択操作を説明する画面をタッチパネルモニタ７１に表示させたり、各種の選択操作を説明する音声をスピーカ７２から出力させたりする。
【０１０８】
＜撮影処理部の構成例＞
図１２は、撮影処理部３０２の機能構成例を示すブロック図である。
【０１０９】
撮影処理部３０２は、表示制御部３２１、入力受付部３２２、撮影制御部３２３、およびガイダンス出力制御部３２４から構成される。
【０１１０】
表示制御部３２１は、タッチパネルモニタ９２の表示を制御する。例えば、表示制御部３２１は、タッチパネルモニタ９２に、カメラ９１に取り込まれた動画像をライブビュー表示させたり、撮影結果である撮影画像を表示させたりする。
【０１１１】
入力受付部３２２は、タッチパネルモニタ９２に対する、利用者の操作入力を受け付ける。
【０１１２】
撮影制御部３２３は、カメラ９１を制御し、利用者を被写体として撮影する。
【０１１３】
ガイダンス出力制御部３２４は、撮影作業の進め方などを説明するガイダンスの出力を制御する。ガイダンス出力制御部３２４は、撮影の進め方などを説明する画面をタッチパネルモニタ９２に表示させたり、撮影の進め方などを説明する音声をスピーカ２３２から出力させたりする。
【０１１４】
＜編集処理部の構成例＞
図１３は、編集処理部３０３の機能構成例を示すブロック図である。
【０１１５】
編集処理部３０３は、表示制御部３３１、入力受付部３３２、画像処理部３３３、編集部３３４、ガイダンス出力制御部３３５、コンテスト制御部３３６、および通信制御部３３７から構成される。
【０１１６】
表示制御部３３１は、タブレット内蔵モニタ１３１の表示を制御する。例えば、表示制御部３３１は、タブレット内蔵モニタ１３１に、撮影画像に施される画像処理の内容の選択のための選択画面や、撮影画像を対象とした編集作業のための編集画面を表示させる。
【０１１７】
入力受付部３３２は、タブレット内蔵モニタ１３１に対する、タッチペン１３２Ａ，１３２Ｂを用いた利用者の操作入力を受け付ける。例えば、入力受付部３１２は、選択画面に対する画像処理の内容の選択や、編集画面に対する入力を受け付ける。
【０１１８】
画像処理部３３３は、選択画面に対する選択操作に応じて、撮影画像に所定の画像処理を施す。
【０１１９】
編集部３３４は、編集画面に対する入力操作に応じて、撮影画像に編集を施す。
【０１２０】
ガイダンス出力制御部３３５は、編集の進め方などを説明するガイダンスの出力を制御する。ガイダンス出力制御部３３５は、編集の進め方などを説明する画面をタブレット内蔵モニタ１３１に表示させたり、編集の進め方などを説明する音声をスピーカ２４１から出力させたりする。
【０１２１】
コンテスト制御部３３６は、後述するコンテストに関する制御を行う。写真シール作成装置１においては、撮影された画像を用いたコンテストへのエントリーや投票が行えるように構成されており、そのようなコンテストに関わる処理の一部を、コンテスト制御部３３６は行う。
【０１２２】
通信制御部３３７は、通信部２０３を制御し、インターネットなどのネットワークを介した通信に関する処理を行う。例えば、通信制御部３３７は、通信部２０３を制御することで、撮影処理において得られた撮影画像や、編集処理において得られた編集画像を、外部のサーバへ送信する。
【０１２３】
＜写真シール作成装置の動作＞
ここで、図１４のフローチャートを参照して、写真シール作成ゲームを提供する写真シール作成装置１の動作について説明する。まず先に、コンテスト以外の処理であり、写真シール作成装置１における写真シール作成ゲームに関わる処理について説明を加える。
【０１２４】
ステップＳ１において、事前選択処理部３０１は、所定の金額分の硬貨が投入されたか否かを、硬貨処理部２２１から供給される起動信号に基づいて判定し、硬貨が投入されたと判定するまで待機する。
【０１２５】
ステップＳ１において、硬貨が投入されたと判定された場合、処理はステップＳ２に進む。ステップＳ２において、事前選択処理部３０１は、事前選択部２０８を制御することで、事前選択処理を行う。具体的には、事前選択処理部３０１は、撮影空間で行われる撮影に関するコースの選択などを利用者に行わせることで、各種の設定を行う。
【０１２６】
ステップＳ３において、撮影処理部３０２は、撮影部２０９を制御することで、撮影処理を行う。具体的には、撮影処理部３０２は、カメラ９１に取り込まれた被写体の動画像をタッチパネルモニタ９２にライブビュー表示させ、撮影空間Ａ１にいる利用者を被写体として撮影し、撮影画像を生成する。
【０１２７】
ステップＳ４において、編集処理部３０３は、編集空間Ａ２−１と編集空間Ａ２−２のうち、撮影処理を終えた利用者の移動先とした方の編集空間に対応する編集部２１０を制御することで、編集処理を行う。具体的には、編集処理部３０３は、撮影処理により得られた撮影画像に対して利用者に編集作業を行わせることで、編集が施された編集画像を生成する。
【０１２８】
ステップＳ５において、印刷処理部３０４は、プリンタ２５１を制御することで、印刷処理を行う（開始する）。具体的には、印刷処理部３０４は、編集処理により得られた編集画像をプリンタ２５１に出力してシール紙に印刷する。なお、撮影処理により得られた撮影画像が、シール紙に印刷されるようにしてもよい。
【０１２９】
印刷が終了すると、ステップＳ６において、プリンタ２５１は、画像が印刷されたシール紙をシール紙排出口１６１に排出し、処理を終了させる。
【０１３０】
＜事前選択処理の詳細＞
次に、図１５のフローチャートを参照して、上述した写真シール作成ゲームの一連の処理におけるステップＳ２の事前選択処理の詳細について説明する。
【０１３１】
事前選択処理が開始されると、ステップＳ１１において、表示制御部３１１は、人数コース選択画面をタッチパネルモニタ７１に表示させる。
【０１３２】
図１６は、人数コース選択画面の例を示す図である。
【０１３３】
人数コース選択画面には、「撮りたい人数を選んでね」のメッセージが表示され、その下に、ボタン４２１乃至４２５が表示される。ボタン４２１は、人数コースとして１人用コースを選択するときに操作される。ボタン４２２は、人数コースとして２人用コースを選択するときに操作される。ボタン４２３は、人数コースとして３人用コースを選択するときに操作される。ボタン４２４は、人数コースとして４人用コースを選択するときに操作される。ボタン４２５は、人数コースとして５人以上用コースを選択するときに操作される。
【０１３４】
ボタン４２１乃至４２５のいずれかが操作されることによって、入力受付部３１２は、人数コースの選択を受け付ける。選択された人数コースに応じて、その人数の利用者に向けたゲームが提供される。以下、２人用コース、３人用コース、４人用コース、および５人以上用コースをまとめて、複数人用コースということとする。
【０１３５】
人数コース選択画面において、ボタン４２２乃至４２５のいずれかが操作されることによって、複数人用コースの選択が受け付けられた場合、処理はステップＳ１２に進む。ステップＳ１２において、表示制御部３１１は、撮影コース選択画面をタッチパネルモニタ７１に表示させる。
【０１３６】
図示はしないが、撮影コース選択画面には、例えば、「撮りたいコースを選んでね」のメッセージが表示され、その下に、複数のボタンが表示される。ボタンとしては、撮影コースとして「アップ＋全身」コースを選択するときに操作されるボタンや、「アップのみ」コースを選択するときに操作されるボタンがある。「アップ＋全身」コースは、複数回（例えば５回）行われる撮影として、アップ撮影と全身撮影とが行われる撮影コースである。「アップのみ」コースは、複数回行われる撮影として、アップ撮影のみが行われる撮影コースである。
【０１３７】
ここで、アップ撮影とは、被写体の顔および上半身を撮影範囲とした撮影である。アップ撮影により、撮影画像として、被写体の顔および上半身が写るアップ画像が得られる。一方、全身撮影とは、被写体の全身を撮影範囲とした撮影である。全身撮影により、撮影画像として、被写体の全身が写る全身画像が得られる。
【０１３８】
表示されているボタンのいずれかが操作されることによって、入力受付部３１２は、撮影コースの選択を受け付ける。そして、処理はステップＳ１３に進む。
【０１３９】
ステップＳ１３において、表示制御部３１１は、名前入力画面をタッチパネルモニタ７１に表示させる。
【０１４０】
名前入力画面は、利用者による名前の入力に用いられる画面である。名前入力画面が操作されることによって、入力受付部３１２は、利用者それぞれの名前の入力を受け付ける。
【０１４１】
さて、ステップＳ１１に戻り、人数コース選択画面において、ボタン４２１が操作されることによって、１人用コースの選択が受け付けられた場合、処理はステップＳ１４に進む。
【０１４２】
ステップＳ１４において、表示制御部３１１は、シールレイアウト選択画面をタッチパネルモニタ７１に表示させる。
【０１４３】
詳細な説明は省略するが、シールレイアウト選択画面は、シールレイアウト画像の選択に用いられる画面である。
【０１４４】
シールレイアウト画像は、複数の撮影画像が配置されてシール紙に印刷される画像である。シールレイアウト画像において撮影画像が配置される領域以外の領域には、デザイン性に富んだ文字や図柄などが配置される。シール紙には、シールレイアウト画像に撮影画像が配置されて合成された合成画像が印刷される。この合成画像は、サーバを介して、利用者の携帯端末に送信されるようにしてもよい。
【０１４５】
ステップＳ１３またはステップＳ１４の後、処理はステップＳ１５に進む。ステップＳ１５において、ガイダンス出力制御部３１３は、事前選択空間Ａ０にいる利用者に対して、撮影空間Ａ１への移動を案内する。撮影空間Ａ１への移動の案内は、タッチパネルモニタ７１に案内画面を表示させることによって、または音声をスピーカ７２から出力させることによって行われる。
【０１４６】
＜撮影処理の詳細＞
次に、図１７のフローチャートを参照して、上述した写真シール作成ゲームの一連の処理におけるステップＳ３の撮影処理の詳細について説明する。なお、ここでは、人数コースとして複数人用コースが選択され、撮影コースとして「アップ＋全身」コースが選択された場合の撮影処理について主に説明し、複数人用コースと複数人用コース以外で異なる処理が行われるところでは、適宜複数人用コース以外の処理についても説明を加える。
【０１４７】
撮影処理が開始されると、ガイダンス出力制御部３２４が、写り選択用撮影の仕方を説明する画面をタッチパネルモニタ９２に表示させる。その後、ステップＳ３１において、撮影制御部３２３は、写り選択用撮影を行う。
【０１４８】
写り選択用撮影は、利用者それぞれの顔を識別し、さらに利用者の顔の各パーツ（目、口など）を認識するために行われる撮影である。写り選択用撮影により得られた撮影画像（以下、写り選択用画像という）は、編集処理において編集対象とされたり、印刷処理においてシール紙に印刷されることはない。写り選択用画像は、顔の各パーツの認識のためと、後述するコンテストのエントリー用の画像に利用される。
【０１４９】
このような目的から、写り選択用撮影のガイダンスでは、利用者に対して、正面を向いて撮影することを促す画面の表示や音声の出力が行われる。
【０１５０】
人数コースとして２人用コースが選択されていた場合、タッチパネルモニタ９２には、図１８に示すような画面が表示される。図１８に示すように、２人用コースが選択されている場合には、枠４５１と枠４５２の２つの枠が表示される。枠４５１と枠４５２には、それぞれ、その時点で撮影されている利用者の顔が表示される。
【０１５１】
枠４５１、枠４５２の上部には、“枠の中に入って前を向いて撮影してね”といったメッセージが表示されている。また、画面下側には、“後で「顔パーツバランス」と「目の大きさ」を選ぶときにつかうよ”といったメッセージが表示されている。このようなメッセージが表示されることで、利用者は、枠４５１または枠４５２に顔の部分が収まるように、前後、上下、左右に移動すれば良いことを認識する。
【０１５２】
このような撮影が行われることで、枠内に収まった顔の画像から、利用者の顔の各パーツ（目、口など）が認識される。
【０１５３】
また後述するように、２人用コースが選択され、このような撮影が行われた場合、この撮影において得られた撮影画像は、コンテストのエントリー用の画像として用いられる。よって、例えば“「全国女子高生ミスコン」の応募用画像としても使えるよ”といったメッセージも表示されるようにしても良い。
【０１５４】
人数コースとして、３人以上のコースが選択されていた場合、タッチパネルモニタ９２には、図１９に示すような画面が表示される。図１９に示すように、３人以上のコースが選択されている場合には、画面中央に、１つの枠４５３が表示される。枠４５３内には、その時点で撮影されている複数の利用者の顔が表示される。
【０１５５】
枠４５３の上部にも、図１８を参照して説明した場合と同じく、“枠の中に入って前を向いて撮影してね”といったメッセージが表示されている。このようなメッセージが表示されることで、各利用者は、枠４５３にそれぞれの顔の部分が収まるように、前後、上下、左右に移動すれば良いことを認識する。このような表示が行われることで、枠内に複数の利用者が収まった画像が得られ、そのような画像から、利用者それぞれの顔が識別され、それぞれの利用者の顔の各パーツ（目、口など）が認識される。
【０１５６】
人数コースとして、１人用コースが選択されていた場合、図１９に示した場合と同じく、１つの枠を表示して、撮影が行われるようにしても良いし、１人であるため利用者の顔を識別する必要が無いため、枠が表示されずに撮影が行われるようにしても良い。また、後述するアップ撮影と同じように撮影が行われるようにしても良い。また、１人用コースが選択されていた場合には、このような写り選択用撮影を行わず、アップ撮影時に得られた画像から、利用者の顔の各パーツ（目、口など）が認識されるようにしても良い。
【０１５７】
この写り選択用撮影により得られた画像は、コンテストのエントリー用の画像として用いられる。コンテストにエントリーした場合、この撮影により得られた画像が、審査用の画像として用いられる。
【０１５８】
図１７のフローチャートの説明に戻り、ステップＳ３１において、写り選択用撮影が終了すると、ガイダンス出力制御部３２４が、アップ画像を得るための撮影であるアップ撮影の仕方を説明する画面をタッチパネルモニタ９２に表示させる。そして、ステップＳ３２において、撮影制御部３２３は３回のアップ撮影を行う。
【０１５９】
３回のアップ撮影が終了すると、ガイダンス出力制御部３２４が、全身画像を得るための撮影である全身撮影の仕方を説明する画面をタッチパネルモニタ９２に表示させる。そして、ステップＳ３３において、撮影制御部３２３は、２回の全身撮影を行う。
【０１６０】
このような５回の撮影が行われる。５回の撮影が行われているときにタッチパネルモニタ９２上には、例えば、図２０に示すような画面が表示されている。
【０１６１】
撮影結果確認画面の画像表示領域５２１には、アップ撮影や全身撮影によって得られた静止画像が表示される。また、画像表示領域５２２−１には、１回目のアップ撮影によって得られた静止画像が表示される。同じく画像表示領域５２２−２には、２回目のアップ撮影によって得られた静止画像が表示され、画像表示領域５２２−３には、３回目のアップ撮影によって得られた静止画像が表示される。
【０１６２】
画像表示領域５２２−４には、１回目の全身撮影によって得られた静止画像が表示され、画像表示領域５２２−５には、２回目の全身撮影によって得られた静止画像が表示される。このような画面を見ながら、利用者は撮影を行い、また撮影された画像を確認しつつ撮影が行われる。
【０１６３】
なお、撮影コースとして「アップのみ」コースが選択されている場合には、２回の全身撮影に代えて、２回のアップ撮影が行われる。よって、撮影コースとして「アップのみ」コースが選択されている場合、合計５回のアップ撮影が行われる。
【０１６４】
ステップＳ３３の後、処理はステップＳ３４に進む。ステップＳ３４において、ガイダンス出力制御部３２４は、撮影を終えた利用者に対して、編集空間Ａ２−１または編集空間Ａ２−２への移動を案内する。編集空間への移動の案内は、タッチパネルモニタ９２に案内画面を表示させることによって、または音声をスピーカ２３２から出力させることによって行われる。
【０１６５】
＜編集処理の詳細＞
次に、図２１のフローチャートを参照して、上述した写真シール作成ゲームの一連の処理におけるステップＳ４の編集処理の詳細について説明する。なお、事前選択処理において選択された人数コースや撮影コースによらず、基本的には同様の流れで編集処理が実行されるが、コンテストに関する処理は、異なる処理となるため、まず、基本的に同様の処理である処理について説明を加える。
【０１６６】
編集処理が開始されると、ガイダンス出力制御部３３５が、写り選択の仕方を説明する画面をタッチパネルモニタ９２に表示させる。ここでいう写りは、後述する顔のパーツバランスと目の大きさとを示している。その後、ステップＳ７１において、表示制御部３３１は、顔のパーツバランス選択画面をタブレット内蔵モニタ１３１に表示させる。
【０１６７】
顔のパーツバランス選択画面には、利用者毎に、顔のパーツバランスがそれぞれ異なる複数の顔画像が表示される。顔のパーツバランスは、例えば、顔の輪郭や目の形状を示している。これらの顔画像は、写り選択用撮影によって得られた写り選択用画像における利用者の顔の領域に、顔のパーツバランスを異ならせるための複数種類の画像処理を施すことで生成される。
【０１６８】
利用者それぞれによって、顔のパーツバランス選択画面に表示される複数の顔画像のうちのいずれかが選択されると、入力受付部３３２は、その選択を受け付ける。そして、画像処理部３３３は、選択された顔画像に施された画像処理を、撮影処理によって得られた撮影画像それぞれに施す。
【０１６９】
顔のパーツバランスが選択されると、ステップＳ７２において、表示制御部３３１は、目の大きさ選択画面をタブレット内蔵モニタ１３１に表示させる。
【０１７０】
目の大きさ選択画面には、利用者毎に、目の大きさ、例えば、目の大きさが大きい、中程度、小さいといった目の大きさがそれぞれ異なる複数の顔画像が表示される。これらの顔画像は、写り選択用撮影によって得られた写り選択用画像における利用者の目の領域に、目の大きさを異ならせるための複数種類の画像処理を施すことで生成される。なお、目の大きさ選択画面に表示される画像は、顔画像に限らず、形状が異なる目の領域のみの画像など、少なくとも、画像処理の対象となる目の領域が含まれる画像であればよい。
【０１７１】
利用者それぞれによって、目の大きさ選択画面に表示される複数の顔画像のうちのいずれかが選択されると、入力受付部３３２は、その選択を受け付ける。そして、画像処理部３３３は、選択された顔画像に施された画像処理を、撮影処理によって得られた撮影画像それぞれに施す。
【０１７２】
目の大きさが選択されると、表示制御部３３１は、撮影画像に写る利用者の背景となる背景画像の色味を選択させるための選択画面を、タブレット内蔵モニタ１３１に表示させる。そして、背景画像の色味が選択されると、表示制御部３３１は、選択された色味に対応した背景選択画面をタブレット内蔵モニタ１３１に表示させる。
【０１７３】
図２２は、背景選択画面の例を示す図である。
【０１７４】
背景選択画面の上側には、撮影画像６１１−１乃至６１１−５が表示される。撮影画像６１１−１乃至６１１−５は、撮影処理により得られた画像である。撮影画像６１１−１乃至６１１−５のうち、撮影画像６１１−１乃至６１１−３の３枚は、利用者の顔および上半身が写るアップ画像とされ、撮影画像６１１−４，６１１−５の２枚は、利用者の全身が写る全身画像とされる。
【０１７５】
撮影画像６１１−１乃至６１１−５の下には、撮影画像それぞれの背景に合成される複数の背景画像６１２が表示される。図２２の例では、３行８列で配置される２４枚の背景画像が表示されている。
【０１７６】
背景選択画面において、利用者の操作により、撮影画像６１１−１乃至６１１−５のうちのいずれかが選択された状態で、背景画像６１２のうちのいずれかが選択されると、選択された背景画像が、選択されている撮影画像の背景に合成されて表示される。
【０１７７】
このようにして、入力受付部３１２は、５枚の撮影画像それぞれに合成される背景画像の選択を受け付ける。
【０１７８】
撮影画像それぞれについて背景画像が選択された状態で、ＯＫボタン６１３が操作されると、撮影画像それぞれについて選択された背景画像が確定される。
【０１７９】
ＯＫボタン６１３が操作されるか、または、背景画像選択画面が表示されてから所定の時間が経過すると、ガイダンス出力制御部３３５が、編集の仕方を説明する画面をタブレット内蔵モニタ１３１に表示させる。なお、所定の時間が経過したときに、背景画像が選択されていなかった撮影画像については、あらかじめ決められた背景画像が選択されるものとする。
【０１８０】
そして、ステップＳ７４において、表示制御部３３１は、編集画面をタブレット内蔵モニタ１３１に表示させる。なお、複数人用コースと１人用コースとでは、異なる編集画面が表示される。
【０１８１】
ステップＳ７５において、入力受付部３３２が、編集画面に表示されている撮影画像に対する編集入力を受け付けると、編集部３３４は、撮影画像の編集を行う。具体的には、編集部３３４は、利用者に選択されたスタンプ画像等の合成用画像を、編集対象となる撮影画像に合成する。
【０１８２】
編集作業が終了すると、ステップＳ７６において、表示制御部３３１は、タブレット内蔵モニタ１３１に分割数選択画面を表示する。そして、入力受付部３３２は、利用者による、シール紙の分割数の選択を受け付ける。
【０１８３】
ここで、複数人用コースの場合には、シール紙の分割数が選択されることで、シールレイアウト（シールレイアウト画像）とシール紙の分割数が決定される。１人用コースの場合には、単に、シール紙の分割数のみが選択される。
【０１８４】
なお、シールレイアウトを表す情報は、印刷処理部３０４に供給される。印刷処理部３０４は、この情報を用いて、利用者に選択された分割数で分割されたシール紙の各領域に、撮影画像または編集画像が配置されたシールレイアウト画像をシール紙に印刷する。
【０１８５】
ステップＳ７７において、表示制御部３３１は、タブレット内蔵モニタ１３１に携帯送信用画像選択画面を表示させる。そして、入力受付部３３２は、利用者による、携帯送信用画像として例えば１枚の撮影画像の選択を受け付ける。ここで、撮影画像に限らず、携帯送信用画像として編集画像が選択されるようにしてもよい。また、携帯送信用画像として選択される画像は、１枚に限らず、２枚以上であってもよい。
【０１８６】
ステップＳ７８において、表示制御部３３１は、タブレット内蔵モニタ１３１にメールアドレス入力画面を表示させる。そして、入力受付部３３２は、利用者の所有する携帯端末のメールアドレスの入力を受け付ける。
【０１８７】
その後、所定の時間が経過したか、または終了ボタンが操作されると、処理はステップＳ７９に進む。ステップＳ７９において、通信制御部３３７は、通信部２０３を制御することで、インターネットなどのネットワークを介して、利用者により選択された携帯送信用画像を、利用者により入力されたメールアドレスとともに、サーバに送信する。サーバは、例えば写真シール作成装置１の製造メーカにより管理される。
【０１８８】
サーバは、利用者により入力されたメールアドレス宛てに、携帯端末がサーバにアクセスするのに必要なURLが記載されたメールを送信する。そして、そのURLに基づいて、利用者が所有する携帯端末が、ネットワークを介してサーバにアクセスすることで、サーバに送信された携帯送信用画像が携帯端末に提供される。
【０１８９】
ステップＳ８０において、コンテストに関わる処理が実行される。ステップＳ８０において行われるコンテストに関わる処理については、図２８のフローチャートを参照して後述する。
【０１９０】
その後、ステップＳ８１において、ガイダンス出力制御部３３５は、編集作業を終えた利用者に対して、印刷待ち空間Ａ３への移動を案内する。印刷待ち空間Ａ３への移動の案内は、編集部２１０のタブレット内蔵モニタ１３１に案内画面を表示させることによって、または音声をスピーカ２４１から出力させることによって行われる。
【０１９１】
以上のようにして、編集処理が行われる。
【０１９２】
＜コンテストに関わる処理について＞
＜コンテストに関わる処理を実行するシステム＞
次に、コンテストに関わる処理について説明する。まずコンテストに関わる処理を実行するシステムについて説明する。
【０１９３】
図２３は、コンテストに関わる処理を実行するシステムの構成例を示す図である。図２３に示したシステムは、写真シール作成装置１−１乃至１−３、ネットワーク７０１、コンテスト情報管理サーバ７１１、およびコンテストサイト管理サーバ７１２から構成されている。
【０１９４】
有線や無線で構成されるネットワーク７０１を介して相互に接続されている写真シール作成装置１−１乃至１−３、ネットワーク７０１、コンテスト情報管理サーバ７１１は、それぞれデータの授受を行えるように構成されている。
【０１９５】
写真シール作成装置１−１乃至１−３は、それぞれ所定の地域内に設置されている写真シール作成装置１であり、上記したような処理を経て、コンテストに参加する利用者を撮像したり、コンテストの投票を受け付けたりする。なおここでは、説明の都合上、３台の写真シール作成装置１がネットワーク７０１に接続されているとして説明を続けるが、複数の写真シール作成装置１がネットワーク７０１に接続されている。
【０１９６】
なお、写真シール作成装置１には、ユニークなＩＤが一台ずつ付与されており、例えば、写真シール作成装置１からコンテスト情報管理サーバ７１１に情報を送信するとき、その情報に、このＩＤを付与する事で、どの情報がどの写真シール作成装置１から送信されたかが容易に判別できる。
【０１９７】
コンテスト情報管理サーバ７１１は、写真シール作成装置１側で撮影された画像や、メールアドレスなどの種々の情報を管理する。ここでは、特に、コンテストに関する情報を管理するサーバであるとする。
【０１９８】
コンテストサイト管理サーバ７１２は、コンテストの投票時に、ネット上の所定のサイト上でも投票を行えるようにしたときに、そのサイトを管理する側のサーバである。以下に説明するコンテストにおいては、写真シール作成装置１で投票を行えるとともに、所定のサイト上でも投票を行えるように構成されている場合を例に挙げて説明する。
【０１９９】
コンテスト情報管理サーバ７１１とコンテストサイト管理サーバ７１２は、それぞれ１台ずつ図示したが、それぞれ複数台設けられていても良い。また、コンテスト情報管理サーバ７１１とコンテストサイト管理サーバ７１２を別々に設けるのではなく、１台のサーバとして設けることも可能である。
【０２００】
＜コンテストの概要について＞
ここで、コンテストの概要について説明を加える。図２４は、コンテストの流れと、それぞれの期間において写真シール作成装置１側で行われる表示についての関係を示した図である。
【０２０１】
まず、コンテストの開催を利用者に周知するための開催告知期間がある。この開催告知期間において写真シール作成装置１は、コンテストが開催されることを写真シール作成装置１の利用者に知らせるための開催告知表示を行う。なお、開催告知表示のときに表示される画面や、そのような画面が表示されるときの写真シール作成装置１で行われる処理については、後述する。以下に説明する他の期間においても、詳細は、後述するとして説明を続ける。
【０２０２】
所定の期間だけ、開催告知期間が設けられ、その開催告知期間で告知した開催日時になると、エントリー期間に移行される。エントリー期間においては、写真シール作成装置１を利用した利用者によるコンテストへのエントリーが受け付けられる。エントリー期間において写真シール作成装置１は、エントリーを受け付ける画面を表示する。
【０２０３】
エントリーされた利用者の画像は、所定のタイミング、例えば、１日１回、１週間に１回など、コンテスト情報管理サーバ７１１に供給される。コンテスト情報管理サーバ７１１に供給されるデータは、エントリーした利用者の画像、利用者のメールアドレス、地域情報が関連付けられたデータである。地域情報は、写真シール作成装置１に設定されている情報であり、写真シール作成装置１が設置されている地域に関する情報である。
【０２０４】
ここで、地域情報の設定について説明を加える。地域情報の設定は、写真シール作成装置１のメンテナンス画面上で行われる。図２５は、メンテナンス画面の一例を示す図である。ここでは、メンテナンス画面は、事前選択部２０８のタッチパネルモニタ７１に表示されるとして説明を続けるが、撮影部２０９のタッチパネルモニタ９２、または編集部２１０のタブレット内蔵モニタ１３１に表示されるようにしても良い。
【０２０５】
メンテナンス画面の左部には、複数の設定項目の選択肢が表示されており、その１つの選択肢として、“地域設定”という選択肢７３１が表示されている。この“地域設定”という選択肢７３１が選択されている状態のときに、地域設定が行えるように構成されている。図２５では、設定されている地域情報が欄７３２に表示されている。
【０２０６】
図２５に示した画面例では、欄７３２に［関東］［東京］［渋谷］との表示がされており、関東の東京の渋谷が地域情報として設定されている状態である。［関東］［東京］［渋谷］のうち、［関東］を［地域名］とし、［東京］を［都道府県］とし、［渋谷］を［通称］とする。すなわちメンテナンス画面では、地域名、都道府県、通称を地域情報として設定できる。
【０２０７】
欄７３２の右隣に表示されている“変更”というボタン７３３が操作されると、地域情報を設定し直すことができる。“変更”というボタン７３３が操作されると、図２６、図２７で示すような画面に切り替わり、［地域名］、［都道府県］、［通称］を順に設定できるような画面が管理者に提示される。管理者は、その画面を閲覧しながら、写真シール作成装置１が設置されている地域を設定することができる。
【０２０８】
図２６は、［地域名］と［都道府県］を設定するときに管理者に提示される画面例である。図２６に示した画面の左側には、［地域名］を選択するための地域選択表示部７５１が設けられ、右側には、地域選択表示部７５１で選択された地域内に含まれる都道府県を選択するための都道府県選択表示部７５２が設けられている。
【０２０９】
図２６で示した地域選択表示部７５１には、“北海道”、“東北”、“関東”、“北陸・甲信越”、“東海”、“近畿”、“中国”、“四国”、“九州”、“沖縄”といった選択肢が表示され、“関東”という選択肢が選択されている状態を示している。
【０２１０】
地域選択表示部７５１で“関東”という選択肢が選択されているため、都道府県選択表示部７５２には、関東地方に含まれる“茨城”、“神奈川”、“群馬”、“埼玉”、“千葉”、“東京”、“栃木”といった選択肢が表示されている。地域選択表示部７５１で“東京”という選択肢が選択されると、図２７に示すような、“東京“に含まれる市町村などの［通称］を選択するための画面に切り換えられる。
【０２１１】
なお、図２６を再度参照するに、画面右側には、前の画面に戻るときに操作されるボタン７５３、設定を保存して終了するときに操作されるボタン７５４、および設定を保存せずに終了するときに操作されるボタン７５５も表示される。これらのボタンは、適宜、管理者により操作される。また、操作できないボタンである場合、表示が薄くされるなどされ、管理者に操作ができないボタンであることを認識させるための表示が行われる。
【０２１２】
図２７は、［通称］を選択するときに管理者に提示される画面例である。通称を選択する画面には、都道府県選択表示部７５２で選択された都道府県に含まれる市町村名を含む通称が、選択肢として、通称選択表示部７７１内に表示されている。通称選択表示部７７１内には、例えば、“赤羽”、“昭島”、“渋谷”といった選択肢が表示されており、このうち、図２７に示した画面例では、“渋谷”という選択肢が選択されている状態を示している。
【０２１３】
このように［通称］まで選択され、ボタン７５４が操作されると、設定された情報が、地域情報として、保存され、設定に関わる処理は終了される。このようにして、地域情報は、写真シール作成装置１毎に設定され、管理される。
【０２１４】
後述するようにコンテストの流れのなかに地方大会があり、所定の地方毎に投票が行われる期間がある。この地方毎の投票を行うときに地域情報は参照されるため、各写真シール作成装置１で設定されている必要がある。そのため、地域情報が設定されていない場合には、管理者に地域情報が設定されていないことを認識させるための画面が、所定のタイミングで表示される。
【０２１５】
例えば、地域情報が未設定の場合、写真シール作成装置１が起動される毎に、地域情報が未設定であり、設定するように促すメッセージが表示されている警告画面が表示され、確実に地域情報が設定されるように構成されている。
【０２１６】
また、写真シール作成装置１は、移設される可能性もある。移設された場合、地域情報を再設定する必要がある。そこで、写真シール作成装置１が起動されたとき、前回電源がオフにされてからの経過時間が、所定の時間、例えば、４８時間経過しているか否かが判断され、経過していると判断された場合、移設されたと判断されるようにし、地域情報の再設定を促す警告画面が表示されるようにしても良い。
【０２１７】
また写真シール作成装置１にＧＰＳ（Global Positioning System）機能を持たせ、そのＧＰＳで計測された位置情報が、地域情報として用いられるようにしても良い。
【０２１８】
このように、所定の時間以上、電源がオンにされなかったときには、移設された可能性があるため、地域情報の再設定を管理者に行わせるようにすることで、写真シール作成装置１が設置されている地域の情報を正しく管理することが可能となる。
【０２１９】
このように、地域情報は、写真シール作成装置１毎に設定されており、この地域情報が、エントリーした利用者の画像と、利用者のメールアドレスと関連付けられてコンテスト情報管理サーバ７１１に供給される。なお、ここでは、画像、メールアドレス、地域情報が関連付けられて供給されるとして説明を続けるが、さらに他の情報も関連付けられて供給されるようにしても良い。
【０２２０】
例えば、以下の個人情報も撮影された画像と関連付けられて送信されるようにしても良い。例えば、写真シール作成装置１のＩＤ、ユーザＩＤ、シールＩＤ、携帯電話機のキャリア区分、利用者の名前などの情報も関連付けられるようにしても良い。
【０２２１】
写真シール作成装置１のＩＤは、写真シール作成装置１毎に付与されているＩＤである。ユーザＩＤは、撮影画像に対して紐づけるための番号であり、撮影画像と同じ番号が付与されていても良いし、例えば、下一桁が、撮影画像のＩＤをa、個人情報をbとしたＩＤであっても良い。
【０２２２】
なお、ユーザＩＤは、写真シール作成装置１のＩＤとゲーム開始日時（コイン投入時、1回目の撮影時、写真シール作成装置における印刷時等の所定のタイミング）と、その写真シール作成装置１で行ったゲームの累積回数を組み合わせて生成することができる。
【０２２３】
シールＩＤは、シール毎に付与される番号であり、ユニークなＩＤである。携帯キャリア区分は、管理サイト、例えば、コンテスト情報管理サーバ７１１からのメール配信に用いられる場合があり、送受信されるデータに含まれるようにしても良い。
【０２２４】
写真シール作成装置１からコンテスト情報管理サーバ７１１へのデータの供給は、ネットワーク７０１を介して行われる。また、写真シール作成装置１に蓄積されたデータを、ＵＳＢメモリなどの記録媒体に記録し、その記録媒体を用いて、コンテスト情報管理サーバ７１１に供給されるようにしても良い。
【０２２５】
このような供給は、１日１回、所定のタイミングで行われるようにしても良いし、１週間など、所定の期間が経過する毎に行われるようにしても良い。また、エントリーが行われる毎に行われるようにすることも可能である。
【０２２６】
また、写真シール作成装置１からコンテスト情報管理サーバ７１１へのデータは、第１の暗号化方式を適用して暗号化されて供給される。またコンテスト情報管理サーバ７１１から写真シール作成装置１へのデータも、第１の暗号化方式を適用して暗号化されて供給される。
【０２２７】
コンテストの流れの中に、投票を行う期間があるが、投票は写真シール作成装置１で行えるとともに、ネット上の所定のサイト上でも行えるようにした場合、そのサイトを管理するコンテストサイト管理サーバ７１２に、コンテスト情報管理サーバ７１１からデータが供給される。
【０２２８】
コンテスト情報管理サーバ７１１からコンテストサイト管理サーバ７１２へのデータ、およびコンテストサイト管理サーバ７１２からコンテスト情報管理サーバ７１１へのデータは、第１の暗号化方式とは異なる第２の暗号化方式を適用して暗号化されて送受信される。
【０２２９】
仮に、コンテスト情報管理サーバ７１１とコンテストサイト管理サーバ７１２との間で第１の暗号化方式で暗号化されたデータが送受信されるようにしたときに、その第１の暗号化方式で暗号化されたデータがハッキングなどの被害に遭ったとする。このような場合、写真シール作成装置１とコンテスト情報管理サーバ７１１との間のデータが第１の暗号化方式で暗号化されていると、そのデータも、ハッキングなどの被害に遭う可能性が高くなってしまう。
【０２３０】
コンテスト情報管理サーバ７１１で管理されるコンテストに係わる情報は、個人情報であるが、それ以外の個人情報も管理するように構成することも可能である。利用者の個人情報を管理するサーバから、個人情報が漏れることは防ぐ必要がある。そのためにも、写真シール作成装置１とコンテスト情報管理サーバ７１１との間で授受されるデータに対する暗号化方式と、コンテスト情報管理サーバ７１１とコンテストサイト管理サーバ７１２との間で授受されるデータに対する暗号化方式は、別の暗号化方式とされる。
【０２３１】
また、写真シール作成装置１とコンテスト情報管理サーバ７１１との間で授受されるデータには、コンテストに関わる情報以外の情報も含まれているが、コンテスト情報管理サーバ７１１とコンテストサイト管理サーバ７１２との間で授受されるデータには、コンテストに関わる情報のみ、例えば、画像データと地域情報が含まれるデータとされる。すなわち、コンテストサイト管理サーバ７１２で管理されている情報は、コンテスト情報管理サーバ７１１で管理されている情報のうちの最低限度の情報とされている。
【０２３２】
このようにして、利用者の個人情報が漏洩しないようにデータの管理や通信が行われる。
【０２３３】
図２４を参照した説明に戻る。エントリー期間において写真シール作成装置１毎にコンテスト参加へのエントリーが行われ、所定の期間が経過すると、写真シール作成装置１におけるエントリー期間は終了される。
【０２３４】
次の期間として、第１次審査期間と第２次審査期間とがある。この第１次審査期間における第１次審査と第２次審査期間における第２次審査は、写真シール作成装置１側ではなく、コンテスト情報管理サーバ７１１側で行われる。
【０２３５】
図２３に示したシステム図を再度参照する。図２３に示した例では、写真シール作成装置１−１乃至１−３の３台の写真シール作成装置１がネットワーク７０１に接続されている。例えば、写真シール作成装置１−１乃至１−３のそれぞれで、１００人の利用者がコンテストにエントリーした場合、コンテスト情報管理サーバ７１１は、写真シール作成装置１−１乃至１−３のそれぞれから、１００人分の情報の供給を受ける。よって、コンテスト情報管理サーバ７１１には、３００人分の利用者の情報が管理される。
【０２３６】
この３００人のエントリー登録者の中から、地方大会に出場させる登録者が、第１次審査期間と第２次審査期間中に選出される。第１次審査期間では、写真シール作成装置１で撮影された撮影画像が参照されて第１次審査が行われる。
【０２３７】
例えば、コンテスト情報管理サーバ７１１のモニタ（不図示）上に、管理されているエントリーした登録者の画像が表示され、その画像を審査員が閲覧することで、審査が行われる。このように、写真シール作成装置１で撮像された画像が用いられて審査が行われるため、第１次審査に用いられる画像は、画像処理が施された画像でも良いが、画像処理が施されていない画像（以下、適宜、原画と記載する）が用いられるとして説明を続ける。
【０２３８】
上記したように、写真シール作成装置１では、図２１のフローチャートを参照して説明したように、撮影画像に対して、さまざまな編集（画像処理）を施すことができる。そのような画像処理が施された画像を審査対象とすると、登録者本人と画像のイメージが異なり、正確な審査が行えない可能性がある。よって、第１次審査には、写真シール作成装置１で撮影された撮影画像が用いられて審査は行われるが、画像処理が施されていない撮影画像が用いられる。
【０２３９】
第１次審査に用いられる画像としては、例えば、撮影時に写り選択用撮影時（図１７のステップＳ３１）に撮影された画像を用いることができる。２人用コースが選択されたときには、図１８に示したように、タッチパネルモニタ９２上に２つの枠４５１と枠４５２が表示され、それぞれの枠内に、利用者の顔が入るように撮影が行われる。
【０２４０】
このように２人用コースが選択されたときに撮影された利用者毎の画像が、第１次審査用の画像として用いられる。この写り選択用撮影のときの撮影された画像は、その後の編集作業の対象画像とはされないため、画像処理が施されていない画像となり、利用者本人と撮影画像とに違いが少なく、第１次審査用の画像としては適している。ここでは、２人用コースが選択されたときの写り選択用撮影（個別撮影）時に得られた画像が、第１次審査用の画像として用いられるとして説明を続ける。
【０２４１】
なお、第１次審査用の画像として、以下のような画像が用いられるように構成することも可能である。写真シール作成装置１で撮影された画像のうち、画像処理が施された撮影画像又は画像処理が施されていない撮影画像のうちのどちらかを第１次審査用の画像として選択できるようにしても良い。
【０２４２】
また画像処理は施すが、画像処理の強度が弱く設定された画像が用いられるようにしても良い。例えば、証明写真コースというのがあり、その証明写真コースが選択されたときには、顔の色を血色が良い色に変更したり、目の大きさを少し大きめにしたりするといったような画像処理がなされるが、その画像処理は、証明写真という特性上、本人であると認識できる程度に収められている。そのような証明写真コースで撮影された画像が、第１次審査用の画像として用いられるようにしても良い。
【０２４３】
また上記した例ではアップ画像（顔の画像）が第１次審査用の画像として用いられるとしたが、全身撮影時の全身画像が第１次審査用の画像として用いられるようにしても良い。全身画像が用いられることで、顔だけでなく、スタイルや服装といった顔以外の要素も審査対象とすることができ、そのような顔以外の要素も注目対象として審査が行えるようにすることができる。
【０２４４】
また全身画像が用いられる場合、顔画像とともに用いられるようにしても良い。すなわち、アップ撮影時に得られた画像と全身撮影時に得られた画像とが用いられて、第１次審査が行われるようにしても良い。第１次審査で用いられる画像の数は、１枚に限らず、何枚でも良い。
【０２４５】
また、写真シール作成装置１においては、編集による撮影画像の加工も魅力の１つであるため、例えば、編集（画像処理）後の画像の仕上がりを競うコンテストである場合など、画像処理が施された画像が第１次審査用の画像として用いられるようにしても良い。すなわち、コンテストの主旨に合わせて、画像処理が施された画像が用いられるか、画像処理が施されていない画像が用いられるかが決定されても良い。
【０２４６】
ここでは、第１次審査は、コンテスト情報管理サーバ７１１側で、審査員が写真シール作成装置１で撮影された画像を閲覧して行うとしたが、コンテスト情報管理サーバ７１１で画像処理などにより行われるようにしても良い。例えば、利用者が笑顔であるか否かを判定するアプリケーションがあるが、そのようなアプリケーションが用いられ、笑顔である利用者の画像が抽出されることで、第１次審査が行われるようにしても良い。
【０２４７】
第１次審査期間における第１次審査を通過した登録者に対して、第２次審査期間における第２次審査が行われる。第２次審査は、例えば、第１次審査を通過した登録者に直接会い、いわゆる面接により行われる。
【０２４８】
なおここでは、第１次審査と第２次審査の２回の審査が行われるとして説明を続けるが、第１次審査または第２次審査のどちらか一方のみが行われるようにしても良い。
【０２４９】
第１次審査期間と第２次審査期間のとき、写真シール作成装置１側では、地方投票開催告知表示が行われる。第１次審査と第２次審査を通過した登録者は、地方投票の投票対象者（地方大会の出場者）となる。地方投票とは、設定されている所定の範囲内に設置されていた写真シール作成装置１でエントリーした登録者に対する投票である。
【０２５０】
例えば、地方投票とは、北海道／東北地区、関東地区、中部地区、近畿地区、中国／四国地区、九州／沖縄地区といった地区毎に行われる。この場合、６地区毎に行われる。例えば、関東地区における投票である場合、関東地区内に設置されていた写真シール作成装置１によりエントリーした登録者のうち、第１次審査と第２次審査を通過した登録者が、関東地区内に設置されている写真シール作成装置１において投票できる投票対象者とされる。
【０２５１】
このように、地方投票の対象者を選択するために、第１次審査と第２次審査は行われるため、この第１次審査と第２次審査は、地区毎に行われ、地方毎に所定の人数、例えば１２人が選出される。地区毎に所定の人数が選出されることで、第２次審査まで終了されると、次に地方投票期間に移行される。
【０２５２】
地方投票期間においては、地方毎に、また写真シール作成装置１毎に投票が行われる。またコンテストサイト管理サーバ７１２が管理するサイトでの投票も行われるようにしても良い。地方投票期間においては、写真シール作成装置１側では、地方大会における投票を受け付けるための表示が行われる。
【０２５３】
地方投票期間において投票用の画像として用いられるのは、第１次審査のときに用いられた画像または、第２次審査を通過した通過者を、スタジオなどで新たに撮影し直した画像である。新たに撮影し直すことで、全ての通過者の条件を同じにし、公平な投票が行われるようにするためである。
【０２５４】
写真シール作成装置１やサイトでの投票は、一定期間行われ、その期間が経過すると、地方大会期間へと移行する。地方大会期間では、各地方において、実際にコンテスト参加者が参加するイベントなどが開催される帰還である。そのときに、イベント会場で投票も行われるようにしても良い。
【０２５５】
この地方大会期間の投票結果と、地方投票期間における写真シール作成装置１毎の投票結果により、地方大会におけるグランプリと準グランプリが選出される。例えば、上記した例のように、各地方で、１２人の候補者が選出された場合、投票の結果、各地方で、１位と２位の候補者が次の全国大会に出場する出場者として選出される。
【０２５６】
この地方大会期間においては、写真シール作成装置１では、全国大会が開催されることを告知する表示が行われる。
【０２５７】
地方大会によるグランプリと準グランプリが決定されると、全国大会投票期間に移行される。全国大会は、例えば、日本国内を対象とした投票である。例えば、日本国内を６地区に分けた場合、６地区の地区毎に行われるのが地方大会であり、日本国内を対象として行われるが全国大会である。また６地区毎に、グランプリと準グランプリの２人が選出された場合、全国大会では、１２人（２人×６地区）が出場者となる。
【０２５８】
全国大会投票期間における投票は、基本的に地方投票期間における投票と同じく、写真シール作成装置１で行われる。また、コンテストサイト管理サーバ７１２が管理するサイト上でも投票は受け付けられるようにしても良い。
【０２５９】
この全国大会の投票に用いられる画像は、地方大会の投票に用いられた画像であっても良いし、新たに出場者を撮影し直した画像であっても良い。
【０２６０】
写真シール作成装置１やサイトでの投票は、一定期間行われ、その期間が経過すると、全国大会期間へと移行する。全国大会期間では、全国において、実際にコンテスト参加者が参加するイベントなどが開催される期間である。そのときに、イベント会場で投票も行われるようにしても良い。
【０２６１】
この全国大会期間においては、写真シール作成装置１では、最終結果である全国大会におけるグランプリと順グランプリが決定され、発表されると言うことを知らせるための告知画面が表示される。
【０２６２】
この全国大会期間の投票結果と、全国大会投票期間における写真シール作成装置１毎の投票結果により、全国大会におけるグランプリと準グランプリが選出される。例えば、上記した例のように、各全国で、１２人の候補者が選出された場合、投票の結果、１位と２位の候補者が最終的なグランプリと準グランプリとして決定される。
【０２６３】
最終結果が出ると、結果発表期間に移行される。この結果発表期間においては、写真シール作成装置１により、最終結果が表示される。また、コンテストサイト管理サーバ７１２が管理していたサイト上でも、最終結果が表示されるようにしても良い。
【０２６４】
このような流れで１回のコンテストが開催される。このようなコンテストの流れにおいては、写真シール作成装置１を利用した利用者が、写真シール作成装置１で撮影した画像により、写真シール作成装置１でコンテストの参加を申し込むことができる。よって、コンテスト参加へのハードルを下げることが可能となり、たくさんの利用者をコンテストに参加させることが可能となる。また、コンテスト参加へのハードルが下がることで、そのようなコンテストへの参加を行える写真シール作成装置１に対する人気も上がり、写真シール作成装置１の集客力を向上させることができる。
【０２６５】
また投票する利用者も、写真シール作成装置１やサイト上で、簡単に投票を行えるため、コンテストに投票者として参加することができ、投票する利用者のコンテスト参加へのハードルを下げることが可能となり、たくさんの利用者を、投票するという形でコンテストに参加させることが可能となる。また、コンテスト参加へのハードルが下がることで、そのようなコンテストへの参加を行える写真シール作成装置１に対する人気も上がり、写真シール作成装置１の集客力を向上させることができる。
【０２６６】
また写真シール作成装置１側における投票だけでなく、第１次審査や第２次審査を設けたり、地方大会期間や全国大会期間を設け、イベントなどを開催することで、写真シール作成装置１以外の媒体に関係する企業などとのタイアップを行うことが可能となったり、写真シール作成装置１以外の媒体でのコンテストの宣伝を行うことが可能となる。
【０２６７】
＜写真シール作成装置１でのコンテストに関わる処理について＞
このようなコンテストに関わる処理のうち、写真シール作成装置１が行う処理について説明を加える。
【０２６８】
図２８のフローチャートを参照し、ステップＳ８０（図２１）において実行されるコンテストに係わる処理について説明する。
【０２６９】
なおここでは、コンテストに係わる処理は、編集時に行われるとして説明を続けるが、撮影時に行われるようにしても良い。また事後接客部がある写真シール作成装置１においては、事後接客部においてコンテストに係わる処理が実行されるようにしても良い。
【０２７０】
ステップＳ２０１において、開催告知期間であるか否かが判定される。この判定はコンテスト情報管理サーバ７１１から供給されるデータに基づいて行われるようにしても良いし、写真シール作成装置１側でコンテストの上記したようなスケジュールを管理し、そのスケジュールに照らし合わせて行われるようにしても良い。
【０２７１】
以下の説明においても、期間を判定する処理があるが、その判定は、ステップＳ２０１における判定と同じく、コンテスト情報管理サーバ７１１から供給されるデータに基づいて行われたり、予め管理されているスケジュールに基づいて行われたりするとし、その説明は適宜省略する。また、ここで挙げた判定以外の判定方式で、判定が行われるようにしても良い。
【０２７２】
またここでは、このような判定が行われるとして説明を続けるが、コンテスト情報管理サーバ７１１側から、供給されるプログラムや、画像データに基づき、写真シール作成装置１側が動作し、このような判定は写真シール作成装置１側では行われないように構成することも可能である。
【０２７３】
ステップＳ２０１において、開催告知期間であると判定された場合、ステップＳ２０２に処理は進められる。ステップＳ２０２において、開催告知処理が実行される。ステップＳ２０２において実行される開催告知処理について、図２９のフローチャートを参照して説明する。
【０２７４】
ステップＳ２５１において、通信はできるか否かが判定される。ステップＳ２５１において、通信はできるか否かを判定するのは、以下の処理において、利用者の携帯電話機など、登録されている機器に対して、電子メールを送信するからである。よって、ステップＳ２５１においては、電子メールを送信できるか否かを判定するために、まず通信はできるか否かが判定される。
【０２７５】
また通信は、コンテスト情報管理サーバ７１１との通信であり、コンテスト情報管理サーバ７１１の処理により、所定の機器に対して電子メールが送信される。そのような指示を出すのが、写真シール作成装置１側であるため、ステップＳ２５１において、コンテスト情報管理サーバ７１１と通信が行える状態であるか否かが判定される。
【０２７６】
このような判定は、ここでは、必要に応じて随時行われるとして説明を続けるが、例えば、写真シール作成装置１が起動されたときに行われ、その結果が保持されるようにしても良い。また、所定の時間経過毎、例えば、１時間毎に行われるようにしても良い。
【０２７７】
また、編集処理の１処理として、ステップＳ７９（図２１）において、携帯送信用画像が利用者の携帯端末に送信される処理が実行されている。そして、この携帯送信用画像の送信が行われた後、コンテストに係わる処理が実行されるとして説明している。よって、ステップＳ７９において、携帯送信用画像の送信が正常に終了されたか否かが判定されることで、通信はできる状態であるか否かが判定されるようにしても良い。
【０２７８】
また、後段の処理で、利用者の携帯端末に、コンテストに関する情報が送信されるときに、携帯送信用画像が送信されるような処理の流れとすることも可能である。
【０２７９】
ステップＳ２５１において、通信はできる状態であると判定されると、ステップＳ２５２に処理は進められる。ステップＳ２５２において、アドレスの入力はあったか否かが判定される。編集処理の１つの処理として、ステップＳ７８（図２１）において、利用者のメールアドレスが入力される処理がある。このステップＳ７８における処理において、利用者のメールアドレスが入力されたか否かが、ステップＳ２５２において判定される。
【０２８０】
上記したように、後段の処理にて、所定の機器に対して電子メールを送信する場合があるため、ステップＳ２５２において、送信先となるアドレスが、入力されたか否かが判定される。
【０２８１】
メールアドレスは、ローカル部＠ドメインで構成される。メールアドレスが入力されたか否かの判定は、メールアドレスの＠マークより前のローカル部に、少なくとも１文字が入力され、＠マーク以下のドメインが選択されていた場合に、メールアドレスは入力されていたと判定される。
【０２８２】
なおこのように、＠マークの前のローカル部と後のドメインの両方に入力（選択）があったことを条件とするのが良いが、どちらか一方のみでも入力（選択）があった場合には、メールアドレスは入力されていたと判定されるようにしても良い。
【０２８３】
また、写真シール作成装置１は、図１６を参照して説明したように、人数コースとして、１人、２人、３人、４人、５人以上用というコースが設けられている。例えば、２人用コースが選択されていたときに、２人のメールアドレスが入力されていたときに、メールアドレスは入力されていたと判定されるようにしても良いし、少なくとも１人のメールアドレスが入力されていたときに、メールアドレスは入力されていたと判定されるようにしても良い。
【０２８４】
ステップＳ２５２において、アドレスの入力はあったと判定された場合、ステップＳ２５３に処理は進められる。ステップＳ２５３において、メール送信ボタン有りの画面が、タブレット内蔵モニタ１３１上に表示される。図３０に、ステップＳ２５３における処理で、タブレット内蔵モニタ１３１上に表示される画面の一例を示す。
【０２８５】
画面には、“女子高生ミスコン”というメッセージが中央部分に大きく表示されているとともに、上側に、“みんなで選ぶ「にほんいちかわいい女子高生」“といったメッセージが表示されている。このようなメッセージによりミスコン（コンテスト）が開催されることを告知する画面が、タブレット内蔵モニタ１３１上に表示される。
【０２８６】
また画面右側には、大きな円形のボタン８０１が表示されている。このボタン８０１内には、“２０１５年７月スタート”、“最新情報をＣＨＥＣＫ”、“詳細メールが携帯に届くよ”というメッセージが表示されている。“２０１５年７月スタート”というメッセージにより、コンテストがいつから始まるのかが明確に告知される。また、“最新情報をＣＨＥＣＫ”、“詳細メールが携帯に届くよ”というメッセージから、ボタン８０１を押下することで、コンテストに関する情報を、電子メールで取得できることを認識することができる。
【０２８７】
このような画面がタブレット内蔵モニタ１３１上に表示されているときに、ボタン８０１が操作されると、入力されていたメールアドレスに対して、電子メールが送信される。複数の利用者のメールアドレスが入力されていた場合には、同一内容の電子メールが、その複数の利用者に対して送信される。
【０２８８】
このような画面がタブレット内蔵モニタ１３１上に表示され、ボタン８０１が操作されることなく、所定の時間が経過すると、タブレット内蔵モニタ１３１上の画面は、次の画面（不図示）に切り換えられる。
【０２８９】
一方、ステップＳ２５１において、通信はできないと判定された場合、またはステップＳ２５２においてアドレスの入力はなかったと判定された場合、ステップＳ２５４に処理は進められる。このような場合、所定の機器に対して電子メールを送信することができない状態なので、ステップＳ２５４においては、メール送信ボタン無しの画面がタブレット内蔵モニタ１３１上に表示される。
【０２９０】
図３１に、ステップＳ２５４における処理で、タブレット内蔵モニタ１３１上に表示される画面の一例を示す。メール送信ボタン無しの画面は、図３０に示したメール送信ボタン有りの画面と比較し、ボタン８０１が表示されていない点が異なり、ボタン８０１の代わりに、“女子高生ミスコン”というキーワードでサイトをチェックしてねという意味を表す表示部８０２が設けられている。図３１に示した画面は、所定の時間が経過後、次の画面（不図示）に切り換えられる。
【０２９１】
このようにして、大会の開催を告知する画面が表示される。
【０２９２】
図２８のフローチャートの説明に戻る。ステップＳ２０１において、開催告知期間ではないと判定された場合、ステップＳ２０３に処理は進められる。ステップＳ２０３において、エントリー期間であるか否かが判定される。
【０２９３】
ステップＳ２０３において、エントリー期間であると判定された場合、ステップＳ２０４に処理は進められる。ステップＳ２０４において、エントリー受け付け処理が実行される。ステップＳ２０４において実行されるエントリー受け付け処理について、図３２のフローチャートを参照して説明する。
【０２９４】
ステップＳ３０１において、通信はできるか否かが判定され、通信はできる判定された場合、ステップＳ３０２に処理は進められ、アドレス入力はあったか否かが判定される。ステップＳ３０１、ステップＳ３０２の処理は、ステップＳ２５１、ステップＳ２５２（図２９）の処理と同様に行うことができる。
【０２９５】
ステップＳ３０２において、アドレスの入力はあったと判定された場合、ステップＳ３０３に処理が進められる。ステップＳ３０３において、２人用コースが選択されていたか否かが判定される。上記したように、事前選択時に、図１６を参照して説明したように、人数コースとして、１人、２人、３人、４人、５人以上用というコースのうちのいずれかが選択されるように構成されている。これらのコースのうち、２人用コースが選択されていたか否かが判定される。
【０２９６】
２人用コースが選択されていた場合、上記したように、撮影時に、図１８に示したような画面が参照されながら、個別撮影が行われる。個別撮影が行われることで、２人の利用者の顔写真をそれぞれ得ることができる。このような顔写真が得られたときに、エントリーを受け付けるようにするために、ステップＳ３０３において、２人用コースが選択されていたか否かが判定される。
【０２９７】
なおここでは、エントリーできる条件として、メールアドレスが入力されていることと、２人用コースが選択されていたことを条件とする。メールアドレスが入力されていること条件とするのは、例えば、第１次審査を通過したときに、通過したことを知らせ、第２次審査を来てもらうための電子メールを送信するときなどに使用されるからである。
【０２９８】
またメールアドレスは、利用者の撮影画像と関連付け、画像を管理するのにも利用でき、そのような利用を可能とするために、メールアドレスが入力されたことを１つの条件として設ける。
【０２９９】
また、２人用コースが選択されていたことを条件とするのは、上記したように、個別撮影が行われ、２人の利用者、それぞれの顔写真を得ることができ、第１次審査用の画像を得ることができるからである。
【０３００】
ここでは、このような条件が満たされるときに、エントリーを行えるとして説明を続けるが、他の条件がさらに追加されたり、２人用コース以外が選択された場合でもエントリーできるようにしたりする変更は可能である。これらの変更例については、後述する。
【０３０１】
ステップＳ３０３において、２人用コースが選択されていたと判定された場合、ステップＳ３０４に処理が進められる。ステップＳ３０４において、エントリー画面が、タブレット内蔵モニタ１３１上に表示される。まず、図３３に示すような画面が表示される。図３３を参照するに、図３３に示した画面は、図３０または図３１に示した画面とほぼ同じであるが、ボタン８０１の代わりに、“エントリー受け付け中”というメッセージが表示されている。
【０３０２】
このような画面を表示することで、まず、利用者に、コンテストへのエントリーを受け付けていることを認識させる。このような画面が、所定の時間だけ表示されると、図３４に示すような画面に画面は切り換えられる。
【０３０３】
図３４は、エントリーを受け付ける画面の一例である。２人の利用者のエントリーを受け付ける画面であるため、基本的に、左右で同一の画面構成を有する画面とされている。図中、左側の画面を利用する利用者を利用者Ａ、右側の画面を利用する利用者を利用者Ｂとする。
【０３０４】
利用者Ａ用の画面には、個別撮影時に得られた利用者Ａの顔画像が表示される顔画像表示部８３１−１があり、その左側には、利用者Ｂの顔画像が表示される顔画像表示部８３２−１がある。顔画像表示部８３１−１と顔画像表示部８３２−１の間には、切り替えボタン８３３−１が表示されている。また、顔画像表示部８３１−１の下側には、“エントリーする”というエントリーボタン８３４−１が表示され、顔画像表示部８３１−１とエントリーボタン８３４−１との間には、メールアドレスが表示されている。
【０３０５】
同様の構成が、利用者Ｂ側の画面にも表示されている。すなわち利用者Ｂ側の画面にも、顔画像表示部８３１−２、顔画像表示部８３２−２、切り替えボタン８３３−２、およびエントリーボタン８３４−２が表示されている。
【０３０６】
利用者Ａは、顔画像表示部８３１−１に表示されている画像が、自分の画像であり、その下に表示されているメールアドレスが、自分が入力したメールアドレスである場合には良いが、例えば、自分が入力したメールアドレスであるが、顔画像表示部８３１−１に表示されている画像が自分の画像でなく、顔画像表示部８３１−２に表示されている画像が自分の画像であるような場合、切り替えボタン８３３−１を操作する。
【０３０７】
切り替えボタン８３３−１が操作されると、顔画像表示部８３１−１に表示されていた画像と、顔画像表示部８３２−１に表示されていた画像が入れ替わる。この画像の入れ換えにより、顔画像表示部８３１−１に表示されている画像が、利用者Ａの画像であり、その下に表示されているメールアドレスが、利用者Ａが入力したメールアドレスである状態になる。
【０３０８】
利用者Ｂにおいても同様であり、顔画像表示部８３１−２に表示されている画像が、利用者Ｂの画像であり、その下に表示されているメールアドレスが、利用者Ｂが入力したメールアドレスである状態になるように、適宜、利用者Ｂは、切り替えボタン８３３−２を操作する。
【０３０９】
切り替えボタン８３３−１が操作されると、顔画像表示部８３１−１に表示されていた画像と、顔画像表示部８３１−２に表示されていた画像が入れ替わるが、顔画像表示部８３１−２に表示されていた画像と、顔画像表示部８３２−２に表示されていた画像も入れ替わる。すなわち、顔画像表示部８３１−１と顔画像表示部８３１−２には、同一の画像が表示されないように表示は制御される。
【０３１０】
切り替えボタン８３３は、このような機能を有するため、図３５に示すように、顔画像表示部８３１−１と顔画像表示部８３１−２の間に１つだけ設けられるようにしても良い。図３５に示した画面において、切り替えボタン８３３が操作されると、顔画像表示部８３１−１に表示されていた画像と顔画像表示部８３１−２に表示されていた画像が入れ替えられる。
【０３１１】
このように、顔画像表示部８３１−１と顔画像表示部８３１−２の間に切り替えボタン８３３が設けられるようにした場合、図３４に示した画面における顔画像表示部８３２−１と顔画像表示部８３２−２は表示しない画面構成とすることができる。
【０３１２】
利用者Ａが、顔画像表示部８３１−１に表示されている画像が自己の画像であり、その下に表示されているメールアドレスが自己のアドレスであることを確認し、エントリーボタン８３４−１を操作すると、利用者Ａは、コンテストにエントリーしたことになる。
【０３１３】
同様に、利用者Ｂが、顔画像表示部８３１−２に表示されている画像が自己の画像であり、その下に表示されているメールアドレスが自己のアドレスであることを確認し、エントリーボタン８３４−２を操作すると、利用者Ｂは、コンテストにエントリーしたことになる。
【０３１４】
このような画面が、ステップＳ３０４において、エントリー画面として表示される。このような画面は、２人ともエントリーボタン８３４を操作した場合や、どちらか一方または両方の利用者がエントリーボタン８３４を操作せずに、所定の時間が経過すると次の画面に切り換えられる。切り換えられる画面は、エントリーした人数により異なるため、ステップＳ３０５において、２人ともエントリーしたか否かが判定される。
【０３１５】
ステップＳ３０５において、２人ともエントリーしたと判定された場合、ステップＳ３０６に処理が進められ、図３６に示すような画面に、タブレット内蔵モニタ１３１上の画面が切り換えられる。図３６に示した画面は、２人ともエントリーしたので、左右は、同一構成の画面とされている。ここでは、左側の利用者Ａの画面を参照して説明する。
【０３１６】
画面の上部には、“エントリーを受付けました”、“詳しい情報がメールに届くよ”というメッセージが表示されている。このメッセージを見ることで、利用者Ａは、コンテストへのエントリーが正常に行われたことを認識することができる。
【０３１７】
メッセージの下側には、今後のスケジュールを表したフローチャートが表示されている。“このあとの流れ“というメッセージの下側に表示されたフローチャートには、“今撮ったプリ画で書類選考”、“面接審査”、“地方予選”、“全国決戦”という流れでコンテストが行われることが示されている。また、このフローチャートの右側には、“書類選考の合格者にはメールで連絡が届くよ“といったメッセージも表示されている。
【０３１８】
このようなフローチャートやメッセージを利用者Ａは見ることで、エントリーした後の流れを確認することができる。
【０３１９】
このような画面は、利用者Ｂ側の画面にも表示されているため、利用者Ｂも、エントリーが正常に受け付けられたことを認識し、エントリーした後の流れを確認することができる。
【０３２０】
図３２のフローチャートの説明に戻り、ステップＳ３０５において、２人ともエントリーしたかという判定において、ＮＯとの判定がなされた場合、ステップＳ３０７に処理は進められる。ステップＳ３０７において、１人だけエントリーしたか否かが判定される。ステップＳ３０７において、１人だけエントリーしたと判定された場合、ステップＳ３０８に処理は進められ、図３７に示すような画面に、タブレット内蔵モニタ１３１上の画面が切り換えられる。
【０３２１】
図３７に示した画面は、２人の利用者のうち、１人の利用者（ここでは、利用者Ｂとする）はエントリーしたが、もう１人の利用者（利用者Ａとする）はエントリーしなかった場合の画面であるため、左右で異なる構成の画面とされている。図３７に示した画面は、右側の利用者Ｂのみがエントリーしたときに、利用者Ａと利用者Ｂに提示される画面例である。
【０３２２】
エントリーした右側の利用者Ｂに提示される画面は、図３６に示したエントリーした利用者に提示される画面と同じく、エントリーが正常に受け付けられたことを認識させ、エントリーした後の流れを確認させるための画面（図３７中、右側の画面）である。
【０３２３】
エントリーしなかった左側の利用者Ａに提示される画面は、図３７の左側に示したように、メッセージとボタン８５１が表示される。“「全国女子高生ミスコン」の最新情報をメールで配信中”といったメッセージと、その下に、“詳しく知りたい人はこちらから”というメッセージが表示されている。これらのメッセージを見ることで、利用者Ａは、自己はエントリーしなかったが、「全国女子高生ミスコン」とは何かを知ることができるメールを受け取ることができることを認識する。
【０３２４】
利用者Ａは、「全国女子高生ミスコン」に興味を持った場合、ボタン８５１を操作する。ボタン８５１にもメッセージが表示されており、“ここをＰＵＳＨ”というメッセージと、“詳細メールが携帯に届くよ”というメッセージが表示されているため、利用者Ｂは、このボタン８５１を操作することで、「全国女子高生ミスコン」に関するメールを受信できることを認識することができる。
【０３２５】
利用者Ａがボタン８５１を操作した場合、写真シール作成装置１から、コンテスト情報管理サーバ７１１に対して、ボタン８５１が操作されたため、「全国女子高生ミスコン」に関する情報を利用者Ｂの携帯電話機に送信するようにという指示が出される。そのような指示を受けたコンテスト情報管理サーバ７１１側で、メール送信のための処理がなされることで、利用者Ａの携帯電話機に「全国女子高生ミスコン」に関するメールが送信される。
【０３２６】
図３２のフローチャートの説明に戻る。ステップＳ３０７において、１人だけエントリーしたかという判定において、ＮＯとの判定がなされた場合、ステップＳ３０９に処理は進められる。ステップＳ３０９において、図３８に示すような画面に、タブレット内蔵モニタ１３１上の画面が切り換えられる。
【０３２７】
ステップＳ３０９に処理が来るのは、電子メールを送信することができる状態であり、２人ともコンテストに対してエントリーしなかった状態である。または、ステップＳ３０３において、撮影人数として２人用コース以外のコースが選択されていたと判定され、エントリーの受け付け処理が行われなかった場合である。このような状態のときには、図３８に示すような画面がタブレット内蔵モニタ１３１上に表示される。
【０３２８】
図３８に示した画面は、利用者Ａ、利用者Ｂのともにエントリーしなかったので、または、２人以外の人数で撮影が行われ、エントリーの受け付け処理は行われなかったので、左右は、同一構成の画面とされている。また、左側の画面と右側の画面は、それぞれ、図３７の左側の画面、すなわち、エントリーしなかった利用者に提示される画面と同様の画面とされている。
【０３２９】
左側と右側にそれぞれボタン８５１が表示されているが、操作された側のボタン８５１に対応する利用者の携帯電話機に対して電子メールは送信される。例えば、利用者Ａがボタン８５１−１を操作した場合、利用者Ａの携帯電話機に電子メールが送信され、利用者Ｂがボタン８５１−２を操作した場合、利用者Ｂの携帯電話機に電子メールが送信される。
【０３３０】
または、ボタン８５１−１またはボタン８５１−２のどちらかのボタン８５１が操作された場合、入力されていた複数の利用者のメールアドレスに対して、同一内容の電子メールが送信されるようにしても良い。
【０３３１】
２人ともエントリーしなかった場合やエントリーの受け付け処理が実行されなかった場合、図３９に示すような画面が、利用者に提示されても良い。図３９に示した画面では、ボタン８５１が中央部分に大きく表示されている。この画面のように、２つのボタン８５１を提示するのではなく、１つのボタン８５１として提示する画面構成とすることも可能である。
【０３３２】
図３９に示した画面において、ボタン８５１が操作された場合、アドレスが入力されていた複数の利用者の携帯電話機に、同一内容の電子メールが送信される。
【０３３３】
このように、２人ともエントリーしなかった場合や、エントリーの受け付け処理が実行されなかった場合であり、電子メールは送信できる状態のときには、「全国女子高生ミスコン」の詳細な内容を示すメールの送信を要求するボタン８５１が表示された画面が提示される。
【０３３４】
図３２のフローチャートの説明に戻る。ステップＳ３０１において、通信は行えないと判定された場合、またはステップＳ３０２において、メールアドレスの入力はなかったと判定された場合、ステップＳ３１０に処理は進められる。
【０３３５】
このような場合、メールアドレスが入力されていないため、コンテストにエントリーするための条件を満たしていないことになるため、エントリー画面は表示されない。よって、図４０に示すような、コンテストが開催されていることを告知する画面が表示される。
【０３３６】
図４０に示した画面と、図３３に示した画面を比較する。図３３に示した画面は、エントリーできる状態なので、“エントリー受付中”とのメッセージが表示されているが、図４０に示した画面は、エントリーできない状態なので、そのようなメッセージは表示されていない。
【０３３７】
その代わりに、コンテストの詳細をサイトで検索するように促すための表示部８０２が設けられている。この表示部８０２は、図３１に示した開催告知期間に表示される画面であり、通信を行えない（メールを送信できない）ときに表示される画面にも設けられていた表示部８０２と同一である。
【０３３８】
図４０に示したような画面が、所定の時間だけ表示された後、次の画面（不図示）に画面は切り換えられる。
【０３３９】
このようにして、エントリーの受け付けに関する処理は行われる。なお、ここでは編集時にエントリーの受け付けに関する処理が実行されるとして説明したが、エントリー用の画像が撮影された後の時点であれば、エントリー用の画像があるため、撮影部２０９のタッチパネルモニタ９２（図９）上でエントリーに係わる処理が行われるようにしても良い。すなわち、エントリーが行われる場所や時間は、適宜変更可能であり、編集時に限定されるわけではない。
【０３４０】
また、上記した実施の形態においては、メールアドレスを用いる例を挙げて説明したが、電話番号やＳＮＳ（Social Networking Service）用のIDなどを、利用者に入力させるようにし、上記した実施の形態におけるメールアドレスの代わりに用いられるようにしても良い。例えば、審査通過の連絡などに、電話番号やLINEのIDが用いられるようにすることも可能である。
【０３４１】
図２８のフローチャートの説明に戻る。ステップＳ２０３において、エントリー期間ではないと判定された場合、ステップＳ２０５に処理は進められる。ステップＳ２０５において、地方投票開催告知期間であるか否かが判定される。
【０３４２】
ステップＳ２０５において、地方投票開催告知期間であると判定された場合、ステップＳ２０６に処理は進められる。ステップＳ２０６において、地方投票開催告知処理が実行される。ステップＳ２０６において実行される地方投票開催告知処理について、図４１のフローチャートを参照して説明する。
【０３４３】
地方投票開催告知処理は、開催告知処理（図２９のフローチャートに基づく処理）と同様に行うことが可能であるため、詳細な説明は適宜省略する。
【０３４４】
ステップＳ３５１において、通信はできるか否かが判定され、通信はできる状態であると判定されると、ステップＳ３５２に処理は進められ、アドレスの入力はあったか否かが判定される。
【０３４５】
ステップＳ３５２において、アドレスの入力はあったと判定された場合、ステップＳ３５３に処理は進められる。ステップＳ３５３において、メール送信ボタン有りの画面が、タブレット内蔵モニタ１３１上に表示される。図４２に、ステップＳ３５３における処理で、タブレット内蔵モニタ１３１上に表示される画面の一例を示す。
【０３４６】
画面には、“女子高生ミスコン”というメッセージが中央部分に大きく表示されているとともに、上側に、“１０月から地方投票スタートするよ”といったメッセージが表示されている。このようなメッセージにより地方投票が開催されることを告知する画面であり、１０月から始まるのかが明確に告知された画面が、タブレット内蔵モニタ１３１上に表示される。
【０３４７】
また画面右側には、大きな円形のボタン８７１が表示されている。このボタン８７１内には、“最新情報をＣＨＥＣＫ”、“詳細メールが携帯に届くよ”というメッセージが表示されている。また、“最新情報をＣＨＥＣＫ”、“詳細メールが携帯に届くよ”というメッセージから、利用者は、ボタン８７１を操作することで、地方大会に関する情報を、電子メールで取得できることを認識することができる。
【０３４８】
このような画面がタブレット内蔵モニタ１３１上に表示されているときに、ボタン８７１が操作されると、入力されていたメールアドレスに対して、電子メールが送信される。複数の利用者のメールアドレスが入力されていた場合には、同一内容の電子メールが、その複数の利用者に対して送信される。
【０３４９】
このような画面がタブレット内蔵モニタ１３１上に表示され、ボタン８７１が操作されることなく、所定の時間が経過すると、タブレット内蔵モニタ１３１上の画面は、次の画面（不図示）に切り換えられる。
【０３５０】
一方、ステップＳ３５１において、通信はできないと判定された場合、またはステップＳ３５２においてアドレスの入力はなかったと判定された場合、ステップＳ３５４に処理は進められる。このような場合、所定の機器に対して電子メールを送信することができない状態なので、ステップＳ３５４においては、メール送信ボタン無しの画面がタブレット内蔵モニタ１３１上に表示される。
【０３５１】
図４３に、ステップＳ３５４における処理で、タブレット内蔵モニタ１３１上に表示される画面の一例を示す。メール送信ボタン無しの画面は、図４２に示したメール送信ボタン有りの画面と比較し、ボタン８７１が表示されていない点が異なり、ボタン８７１の代わりに、“女子高生ミスコン”というキーワードでサイトをチェックしてねという意味を表す表示部８０２が設けられている。図４３に示した画面は、所定の時間が経過後、次の画面（不図示）に切り換えられる。
【０３５２】
このようにして、地方大会の開催を告知する画面が表示される。
【０３５３】
図２８のフローチャートの説明に戻る。ステップＳ２０５において、地方投票告知期間ではないと判定された場合、ステップＳ２０７に処理は進められる。ステップＳ２０７において、地方投票受け付け期間であるか否かが判定される。
【０３５４】
ステップＳ２０７において、地方投票受け付け期間であると判定された場合、ステップＳ２０８に処理は進められる。ステップＳ２０８において、地方投票受け付け処理が実行される。ステップＳ２０８において実行される地方投票受け付け処理について、図４４のフローチャートを参照して説明する。
【０３５５】
ステップＳ４０１において、通信はできるか否かが判定される。ステップＳ４０１において、通信はできる状態であると判定されると、ステップＳ４０２に処理は進められ、表示位置を変更するか否かが判定される。
【０３５６】
ステップＳ４０２において、表示位置を変更すると判定された場合、ステップＳ４０３に処理が進められ、表示位置を変更した投票画面が表示され、表示位置を変更しないと判定された場合、ステップＳ４０４に処理が進められ、表示位置が前回と同じ投票画面が表示される。図４５に投票画面の一例を示す。
【０３５７】
図４５に示した投票画面においては、上部に“応援したい子に投票しよう”、“九州予選ファイナリスト”とのメッセージが表示されている。このようなメッセージが表示されることで、投票を行えることと、地方投票であることを利用者に認識させることができる。メッセージの下側には、出場者の顔画像が表示されている。
【０３５８】
図４５に示した投票画面では、顔画像表示部９０１−１乃至９０１−１２が設けられ、それぞれの顔画像表示部９０１内に、出場者の顔画像が表示されている。また各顔画像表示部９０１−１乃至９０１−１２の下側には、それぞれの出場者の名前が表示されている。また、各顔画像表示部９０１−１乃至９０１−１２の下側には、投票するときに操作される“投票する”という文言が表示されたボタン９０２−１乃至９０２−１２も表示されている。
【０３５９】
図４５に示した投票画面においては、各顔画像表示部９０１に表示される名前として、Ａ乃至Ｌのアルファベットが表示されている例を示したが、この部分には、出場者の本名、ニックネームなどが表示される。
【０３６０】
なお本名やニックネームは、例えば、第２次審査期間における面接で出場者から聞くことができ、面接時に取得された本名やニックネームが、顔画像表示部９０１に表示されるようにしても良い。このように、出場者本人が、望んだ名前が表示されるようにして良い。
【０３６１】
上記した事前選択処理の１処理として、利用者により名前を入力する処理（図１５のステップＳ１３）がある。この名前入力画面が表示され、その時に入力された名前が、顔画像表示部９０１に表示されるようにしても良い。
【０３６２】
名前入力画面で入力された名前が、顔画像表示部９０１に表示されるようにした場合、エントリー時に、写真シール作成装置１から、コンテスト情報管理サーバ７１１に、撮影画像と関連付けられて、入力された名前も供給される。
【０３６３】
名前入力画面で入力された名前は、顔画像表示部９０１に表示せず、上記したように、面接時などに得られる名前が、表示されるようにした場合、名前入力画面で入力された名前は、エントリー時に、写真シール作成装置１から、コンテスト情報管理サーバ７１１に供給される必要はない。
【０３６４】
図４５に示した投票画面の顔画像表示部９０１の左上側には、どの地域でエントリーした出場者であるかを示す表示がある。例えば、顔画像表示部９０１−１には、“熊本代表”といった表示があり、顔画像表示部９０１−１に表示されている出場者は、熊本にある写真シール作成装置１でエントリーを行い、熊本の代表者として出場していることがわかる表示がなされている。
【０３６５】
このように、１出場者に関わる情報として、画像、名前、代表地区名が、１つの顔画像表示部９０１に表示される。これらの情報は、コンテスト情報管理サーバ７１１から供給される。このことについては、上述したが、再度説明する。
【０３６６】
コンテスト情報管理サーバ７１１は、全国の地方大会に出場する出場者の情報を管理している。上記したように、全国を６地区にわけ、１地区から、１２人の出場者が選出される場合、７２人（６地区×１２人）分の情報を、コンテスト情報管理サーバ７１１は管理している。
【０３６７】
コンテスト情報管理サーバ７１１は、所定のタイミングで、これら７２人分の情報を、一括して、写真シール作成装置１側に供給する。所定のタイミングとは、例えば、写真シール作成装置１が起動されたとき、１週間に１回などである。供給される情報は、出場者の顔画像、名前、代表地区名が関連付けられた７２人分の情報である。
【０３６８】
写真シール作成装置１には、上記したように、メンテナンス画面において、管理者により地域情報が設定されている。写真シール作成装置１は、コンテスト情報管理サーバ７１１から情報を取得したとき、自己に設定されている地域情報と合致する情報のみを抽出する。すなわちこの場合、７２人分の情報から、地域情報に合致する１２人分の情報を抽出し、記憶する。
【０３６９】
例えば、写真シール作成装置１には、図２５を参照して説明したように［関東］、［東京］［渋谷］との地域情報が設定されていた場合、写真シール作成装置１は、コンテンツ情報管理サーバ７１１から供給された情報のうち、［関東］との情報が付与されている情報を抽出し、記憶する。
【０３７０】
すなわちこの場合、写真シール作成装置１に設定されている地域情報と、コンテンツ情報管理サーバ７１１から供給された情報とで［関東］という情報が共通しているため、この情報が一致している場合のみ抽出される。つまり、写真シール作成装置１は、コンテンツ情報管理サーバ７１１から供給された情報のうち、例えば、［関西］という情報に対して、この情報が一致していないため、抽出は行わない。
【０３７１】
このようにして抽出され記憶された１２人分の情報が用いられ、顔画像表示部９０１−１乃至９０１−１２の各表示部に顔画像、名前、代表地区名がそれぞれ表示される。このように地域情報を用いた情報の抽出が行われることで、地方毎の投票が実現される。
【０３７２】
なおここでは、写真シール作成装置１側で、複数の情報から、地域情報に合致する情報を抽出するとして説明を続けるが、コンテスト情報管理サーバ７１１から、各写真シール作成装置１が設置されている地域に該当する情報のみを、写真シール作成装置１に供給するようにしても良い。このようにすることで、通信時の通信量を削減でき、通信料金の削減も行うことが可能となる。
【０３７３】
なお、上記したように、顔画像として表示される画像は、写真シール作成装置１で撮影された撮影画像ではなく、例えば、面接時に、カメラマンなどにより撮影された画像である。そのため、公平性を確保することができる。
【０３７４】
このような投票画面において、顔画像表示部９０１−１乃至９０１−１２内に表示される出場者の顔画像が、常に同じ順である場合、図４５に示した例の場合、出場者Ａ乃至Ｌの順で表示され、常にこの順であると、その表示順で投票数（順位）に影響が及ぼされる可能性がある。
【０３７５】
通常、人は、表示されている画像内から、所望の画像を選択する場合、左上に表示されている画像から順に見て、右下に表示されている画像を最後に見る。このような傾向があるため、表示位置に応じて、投票される可能性が高い表示位置と投票される可能性が低い表示位置とがあり、投票数に影響を及ぼし、不公平な投票が行われてしまう可能性がある。
【０３７６】
そこで、この表示位置は、所定の条件が満たされたときに、変更されるようにしても良い。表示位置が変更されるときの条件としては、例えば、ゲーム毎に変更する、所定の時間が経過する毎に変更する、日毎に変更するなどである。
【０３７７】
また投票する利用者が選択したコース（例えば、写りに関するコース）と、出場者がエントリー時に選択したコースが一致する出場者を、左上に表示するなど、選択したコースにより、表示の位置が変更されるようにしても良い。
【０３７８】
また、利用者の写真シール作成装置１の利用回数、または出場者の写真シール作成装置１の利用回数などに応じて、表示位置が変更されるようにしても良い。
【０３７９】
例えば、利用者の写真シール作成装置１の利用回数に応じて表示が変更されるようにした場合であり、出場者の画像として、写真シール作成装置１で撮影された撮影画像を用いた投票にしたときなどには、利用者が選択した写りのコースと、同一のコースで撮影された画像が投票されやすい傾向にあると考えられる。よって、利用者の写真シール作成装置１の利用回数に応じて、同一のコースの画像に投票が偏ることがないように、同一コースの画像は右下側に来るように表示位置が変更されるようにしても良い。
【０３８０】
また例えば、出場者の写真シール作成装置１の利用回数が多かった出場者は、左上側に表示されるなど、利用回数に応じて、表示位置が変更されるようにしても良い。
【０３８１】
また、写真シール作成装置１で撮影された撮影画像を取得する画像取得サイトがある場合、その画像取得サイトに登録しているか否かに応じて、表示位置を変更するようにしても良い。例えば、出場者が画像取得サイトに登録している場合、左上に表示されるようにしても良い。また、画像取得サイトに有料会員として登録しているか、無料会員で登録しているかにより、表示位置が変更されるようにしても良い。
【０３８２】
また、順位により表示位置が変更されるようにしても良い。例えば、順位が低い出場者（投票数が少ない出場者）が、優先的に左上側に表示されるようにしても良い。このようにすることで、投票数が少ない出場者に投票されやすくなり、投票数をばらけさせることができる。
【０３８３】
なお、順位は投票画面上には表示されないようにする。投票画面に順位を表示した場合、人気のある出場者などが、投票する利用者にわかってしまい、投票する面白味が低減してしまう可能性がある。よって、ここでは、投票画面上には順位を表示しないとして説明を続ける。
【０３８４】
しかしながら、例えば投票後の画面で、その時点での順位を表示するといったようなことや、投票後に送信される電子メールで途中結果が知らされるようにすることも可能ではある。
【０３８５】
このようにして、所定の条件に基づき、出場者の顔写真の表示位置が変更されるようにしても良い。
【０３８６】
また、表示される画像自体が変更されるようにしても良い。例えば、１人の出場者に対して、複数の画像を用意しておき、定期的に表示される画像が入れ替えられるようにしても良い。複数の画像として、例えば、３枚の顔写真が用意されており、その３枚の顔写真が、ゲーム毎、時間毎、日毎など、所定のタイミングで切り換えられるようにしても良い。
【０３８７】
また、１人の出場者に対して、アップ画像と全身画像を用意しておき、ゲーム毎、時間毎、日毎など、所定のタイミングで切り換えられるようにしても良い。また、このような画像の切り替えは、利用者が行えるようにしても良い。
【０３８８】
また、利用者により選択された顔画像表示部９０１内の画像は、拡大されて表示されるような機能を持たせても良い。
【０３８９】
図４５では、１２人の出場者が表示されている例を示したが、この出場者のうち、出場を辞退した出場者がいた場合、その出場者の画像が表示される顔画像表示部９０１内には、“ＮＯ  ＩＭＡＧＥ”といった表示がされる。“ＮＯ  ＩＭＡＧＥ”との表示がされるのは、右下に位置する顔画像表示部９０１−１２と固定されている。２人の辞退者がいた場合には、顔画像表示部９０１−１１と顔画像表示部９０１−１２に、“ＮＯ  ＩＭＡＧＥ”との表示がされる。
【０３９０】
このように、辞退した出場者がいた場合には、右下に位置する顔画像表示部９０１−１２から順に、撮影画像が表示されない表示部とされる。なお、このような撮影画像が表示されない顔画像表示部９０１を設けるのではなく、顔画像表示部９０１の配置を変更するようにしても良い。例えば、１人の辞退者が出た場合、１１人の出場者を上の段に６人、下の段に５人表示されるように、上段の顔画像表示部９０１−１乃至９０１−６、下段の顔画像表示部９０１−７乃至９０１−１１をそれぞれ均等な間隔で配置するようにしても良い。
【０３９１】
このように辞退者がいた場合、コンテスト情報管理サーバ７１１から、写真シール作成装置１側に供給される情報内の辞退者に該当する情報には、辞退者であることを示すフラグが立てられる。フラグが立っている情報は、“ＮＯ  ＩＭＡＧＥ”との表示を行うように表示が制御される。
【０３９２】
投票画面のデザインなどは、利用者により変更されるようにしても良い。例えば、利用者（投票者）の年齢や学校等によって、投票画面のデザインが変更されるようにしてもよい。このようにした場合、予め写真シール作成装置１に対して、これらの情報が利用者により入力される必要がある。または、事前にコンテスト情報管理サーバ７１１に登録されているようにし、コンテスト情報管理サーバ７１１から情報が取得される事により、利用者による入力は省略されるようにしても良い。
【０３９３】
年齢などの情報は、コンテスト情報管理サーバ７１１に個人情報として管理されているようにしても良い。また、コンテスト情報管理サーバ７１１を、写真シール作成装置１で撮影された撮影画像を取得する画像取得サイトを管理するサーバとしても良い。
【０３９４】
そのような画像取得サイトは、サイト登録時に、利用者の名前、年齢、メールアドレスといった種々の個人情報が登録されるため、それらの個人情報が、適宜用いられ、利用者に最適な投票画面が提示されるようにしても良い。
【０３９５】
図４４のフローチャートの説明に戻る。ステップＳ４０２において、表示位置を変更するときの条件が満たされており、表示位置を変更すると判定された場合、ステップＳ４０３に処理が進められ、図４５に示すような、表示位置が前回とは異なる投票画面が表示される。
【０３９６】
一方で、ステップＳ４０２において、表示位置を変更しないと判定された場合、ステップＳ４０４に処理が進められ、図４５に示すような、表示位置が前回と同じ投票画面が表示される。
【０３９７】
投票画面が、タブレット内蔵モニタ１３１上に表示されると、利用者は、表示されている投票画面を見ながら、投票を行える状態となる。なお、図４５に示したような投票画面が、いきなり表示されるのではなく、図４６に示すような投票を呼びかける画面が所定の時間だけ表示された後、投票画面に切り換えられるようにしても良い。
【０３９８】
図４６に示した画面では、“地方投票スタート”といったメッセージが大きく表示されることで、投票が開始されていることを利用者に告知することができ、そのような告知が行われることで、投票画面が表示される前に、投票に対する心構えをする時間を利用者に与えるようにすることができる。
【０３９９】
投票画面が表示されると、ステップＳ４０５において、撮影人数として１人用コースが選択されていたか否かが判定される。ここでは、１人用コースが選択されていた場合には、投票回数を１回とし、１人用コース以外のコースが選択されていた場合には、投票回数を２回とする。このような投票回数に制限を設けるために、ステップＳ４０５において、１人用コースが選択されていたか否かが判定される。
【０４００】
ステップＳ４０５において、撮影人数として１人用コースが選択されていたと判定された場合、ステップＳ４０６に処理が進められ、１回だけ、投票を受け付ける処理が実行される。一方で、ステップＳ４０５において、撮影人数として１人用コース以外のコースが選択されていたと判定された場合、ステップＳ４０７に処理が進められ、２回だけ、投票を受け付ける処理が実行される。
【０４０１】
なお、撮影人数を選択するコース以外に、証明写真用コースなどが設けられている場合であり、その証明写真用コースが選択されていた場合には、１回の投票を受け付ける処理が実行される。証明写真は、基本的に１人で撮影を行うと考えられるため、１人用コースと同等の扱いとされる。
【０４０２】
このように、１人用コースが選択されていた場合、１回の投票とするのは、１人１票に制限するためである。同じく１人用コース以外のコース、例えば、２人用コースが選択されていた場合、２回の投票とするのも、１人１票に制限するためである。よって、３人用コースが選択されていた場合には、３回の投票が行われるようにしてもよく、人数に合った投票回数とすることも可能である。
【０４０３】
ところで写真シール作成装置１を利用する利用者は、２人で利用することが多い。仮に、人数コースで選択された人数分だけ投票が行えるようにした場合、５人用コースが選択されると、５回の投票が行われることになる。上記したように、写真シール作成装置１は、２人で利用されることが多いため、仮に２人で利用していても、５人用コースが選択されていた場合、２人で、５回の投票を行うことになり、１人１票という制限を加えられない状態となる。
【０４０４】
このようなことを防ぐために、１人用コース以外のコースが選択された場合には、２回の投票とする。仮に２回の投票という制限を設けても、２人で利用されることが多いため、１人１票の原則は守られ、かつ、２人の利用者は１回の投票を必ず行えるため、大多数の利用者は投票でき、利用者は満足すると考えられる。よって、２人以上の場合には、２回の投票としても、利用者の満足度を低下させるような制限ではないと言える。
【０４０５】
投票は、図４５に示したような投票画面のうち、投票したい出場者の顔写真（顔画像表示部９０１）の下側に表示されている投票するというボタン９０２を、タッチペン１３２（図９）で操作することで行われる。タッチペン１３２は、図９に示したように、タッチペン１３２Ａとタッチペン１３２Ｂの２本ある。投票に関する操作は、タッチペン１３２Ａまたはタッチペン１３２Ｂのうちのどちらかのタッチペン１３２が用いられて行われるか、または両方用いられて行われる。
【０４０６】
１人用コースが選択され、１回だけの投票が受け付けられる場合（ステップＳ４０６の処理が実行される場合）、タッチペン１３２Ａまたはタッチペン１３２Ｂのうちのどちらかのタッチペン１３２が用いられて投票が行われる。
【０４０７】
１人用コース以外のコースが選択され、２回の投票が受け付けられる場合（ステップＳ４０７の処理が実行される場合）、タッチペン１３２Ａとタッチペン１３２Ｂが用いられて投票が行われる。例えば、編集部２１０のタブレット内蔵モニタ１３１に対して、向かって左側に位置する利用者Ａは、タッチペン１３２Ａを用いて投票を行い、右側に位置する利用者Ｂは、タッチペン１３２Ｂを用いて投票を行う。つまり、どのタッチペン１３２が使用されたのかが明確になる。
【０４０８】
図４７は、投票後の画面の一例を示す図である。投票が行われることで、王冠の形をした投票済マーク９１１が、投票画面上に表示される。
【０４０９】
投票済マーク９１１−１は、左側に位置する利用者Ａが用いたタッチペン１３２Ａで投票した顔画像表示部９０１のところに表示され、左側を表す“Ｌ”との表示がされたマークである。また、投票済マーク９１１−１は、投票するというボタン９０２の左上側に表示される。図４７に示した投票後の画面においては、顔画像表示部９０１−１の出場者が、利用者Ａにより投票され、投票済マーク９１１−１がボタン９０２−１の左上に表示されている。
【０４１０】
投票済マーク９１１−２は、右側に位置する利用者Ｂが用いたタッチペン１３２Ｂで投票した顔画像表示部９０１のところに表示され、右側を表す“Ｒ”との表示がされたマークである。また、投票済マーク９１１−２は、投票するというボタン９０２の右上側に表示される。図４７に示した投票後の画面においては、顔画像表示部９０１−４の出場者が、利用者Ｂにより投票され、投票済マーク９１１−２がボタン９０２−４の右上に表示されている。
【０４１１】
このように、投票済マーク９１１は、左側の利用者が投票したのか、右側の利用者が投票したのかがわかる表示とされている。なお、２回の投票が行われる場合、タッチペン１３２Ａを用いた投票とタッチペン１３２Ｂを用いた投票が、それぞれ１回ずつ行われ、どちらかのタッチペン１３２のみが用いられて２回の投票が行われることがないように制御される。
【０４１２】
同一の出場者に対して、左側の利用者Ａと右側の利用者Ｂが投票することも可能であり、そのような場合、投票済マーク９１１−１と投票済マーク９１１−２は、同一のボタン９０２上に、それぞれ左と右に表示される。
【０４１３】
２回の投票が行われたときには、このように、投票済マーク９１１−１と投票済マーク９１１−２が、それぞれ、投票された出場者のところに表示されているボタン９０２上に表示されるが、１回の投票が行われたときには、操作に用いられたタッチペン１３２に応じて、投票済マーク９１１−１と投票済マーク９１１−２のどちらかがボタン９０２上に表示される。
【０４１４】
または、図示はしないが、１回だけ投票が受け付けられる場合、例えば、投票された出場者のところに表示されているボタン９０２の中央に、投票済マーク９１１が表示されるようにしても良い。すなわち、１回だけの投票が受け付けられる場合と、２回の投票が受け付けられる場合とでは、異なる投票済マーク９１１が表示されるようにすることも可能である。
【０４１５】
また、このような投票済マーク９１１ではなく、投票された出場者に対応するボタン９０２は、投票されていない出場者のボタン９０２とは異なる表示、例えば、色が異なる表示とされ、投票されたことを認識させるような表示とされるようにしても良い。
【０４１６】
このようにして、ステップＳ４０６またはステップＳ４０７（図４４）において投票が受け付けられると、ステップＳ４０８に処理が進められる。ステップＳ４０８において、アドレスの入力はあったか否かが判定される。
【０４１７】
なお、投票画面が表示されている状態で、投票が行われず、所定の時間が経過した場合、投票の受付は終了され、次の画面（例えば、図４８に示す画面）に、画面は切り替えられる。すなわち、投票は、所定の時間内に行われるように制限を加えることで、投票の公平性が保たれるようにする。
【０４１８】
また、投票を早く済ませた利用者のために、投票画面のどこかに、決定ボタン（不図示）を設け、その決定ボタンが操作された場合、次の画面に遷移するようにしても良い。
【０４１９】
ステップＳ４０８において、アドレスの入力はあったと判定された場合、ステップＳ４０９に処理は進められる。ステップＳ４０９において、メール送信ボタン有りの画面が、タブレット内蔵モニタ１３１上に表示される。図４８に、ステップＳ４０９における処理で、タブレット内蔵モニタ１３１上に表示される画面の一例を示す。
【０４２０】
画面には、“女子高生ミスコン”というメッセージが中央部分に大きく表示され、画面右側には、大きな円形のボタン８７１が表示されている。このボタン８７１内には、図４２に示したボタン８７１と同じく“最新情報をＣＨＥＣＫ”、“詳細メールが携帯に届くよ”というメッセージが表示されている。利用者は、このボタン８７１を操作することで、コンテストの最新情報を、電子メールで取得できることを認識することができる。
【０４２１】
このような画面がタブレット内蔵モニタ１３１上に表示されているときに、ボタン８７１が操作されると、入力されていたメールアドレスに対して、電子メールが送信される。複数の利用者のメールアドレスが入力されていた場合には、同一内容の電子メールが、その複数の利用者に対して送信される。
【０４２２】
このような画面がタブレット内蔵モニタ１３１上に表示され、ボタン８７１が操作されることなく、所定の時間が経過すると、タブレット内蔵モニタ１３１上の画面は、次の画面（不図示）に切り換えられる。
【０４２３】
一方、ステップＳ４０１において、通信はできないと判定された場合、またはステップＳ４０８においてアドレスの入力はなかったと判定された場合、ステップＳ４１０に処理は進められる。このような場合、所定の機器に対して電子メールを送信することができない状態なので、ステップＳ４１０においては、メール送信ボタン無しの画面がタブレット内蔵モニタ１３１上に表示される。
【０４２４】
図４９に、ステップＳ４１０における処理で、タブレット内蔵モニタ１３１上に表示される画面の一例を示す。メール送信ボタン無しの画面は、図４８に示したメール送信ボタン有りの画面と比較し、ボタン８７１が表示されていない点が異なり、ボタン８７１の代わりに、“女子高生ミスコン”というキーワードでサイトをチェックしてねという意味を表す表示部８０２が設けられている。図４９に示した画面は、所定の時間が経過後、次の画面（不図示）に切り換えられる。
【０４２５】
このようにして、投票に係わる処理が実行され、投票に係わる画面が表示される。
【０４２６】
図２８のフローチャートの説明に戻る。ステップＳ２０７において、地方投票受け付け期間ではないと判定された場合、ステップＳ２０９に処理は進められる。ステップＳ２０９において、全国大会開催告知期間であるか否かが判定される。
【０４２７】
ステップＳ２０９において、全国大会開催告知期間であると判定された場合、ステップＳ２１０に処理は進められる。ステップＳ２１０において、全国大会開催告知処理が実行される。ステップＳ２１０において実行される全国開催告知処理について、図５０のフローチャートを参照して説明する。
【０４２８】
全国大会告知処理は、地方投票開催告知処理（図４１のフローチャートに基づく処理）や、開催告知処理（図２９のフローチャートに基づく処理）と同様に行うことが可能であるため、詳細な説明は適宜省略する。
【０４２９】
ステップＳ４５１において、通信はできるか否かが判定され、通信はできる状態であると判定されると、ステップＳ４５２に処理は進められ、アドレスの入力はあったか否かが判定される。
【０４３０】
ステップＳ４５２において、アドレスの入力はあったと判定された場合、ステップＳ４５３に処理は進められる。ステップＳ４５３において、メール送信ボタン有りの画面が、タブレット内蔵モニタ１３１上に表示される。図５１に、ステップＳ４５３における処理で、タブレット内蔵モニタ１３１上に表示される画面の一例を示す。
【０４３１】
画面には、“女子高生ミスコン”というメッセージが中央部分に大きく表示されているとともに、上側に、“１２月から全国投票スタートするよ”といったメッセージが表示されている。このようなメッセージにより全国大会が開催されることと、その開催が１２月からであることが明確に告知された画面が、タブレット内蔵モニタ１３１上に表示される。
【０４３２】
また画面右側には、大きな円形のボタン８７１が表示されている。このボタン８７１内には、“最新情報をＣＨＥＣＫ”、“詳細メールが携帯に届くよ”というメッセージが表示されている。利用者は、ボタン８７１を操作することで、全国大会に関する最新情報を、電子メールで取得できることを認識することができる。
【０４３３】
このような画面がタブレット内蔵モニタ１３１上に表示されているときに、ボタン８７１が操作されると、入力されていたメールアドレスに対して、電子メールが送信される。複数の利用者のメールアドレスが入力されていた場合には、同一内容の電子メールが、その複数の利用者に対して送信される。
【０４３４】
このような画面がタブレット内蔵モニタ１３１上に表示され、ボタン８７１が操作されることなく、所定の時間が経過すると、タブレット内蔵モニタ１３１上の画面は、次の画面（不図示）に切り換えられる。
【０４３５】
一方、ステップＳ４５１において、通信はできないと判定された場合、またはステップＳ４５２においてアドレスの入力はなかったと判定された場合、ステップＳ４５４に処理は進められる。このような場合、所定の機器に対して電子メールを送信することができない状態なので、ステップＳ４５４においては、メール送信ボタン無しの画面がタブレット内蔵モニタ１３１上に表示される。
【０４３６】
図５２に、ステップＳ４５４における処理で、タブレット内蔵モニタ１３１上に表示される画面の一例を示す。メール送信ボタン無しの画面は、図５２に示したメール送信ボタン有りの画面と比較し、ボタン８７１が表示されていない点が異なり、ボタン８７１の代わりに、“女子高生ミスコン”というキーワードでサイトをチェックしてねという意味を表す表示部８０２が設けられている。図５２に示した画面は、所定の時間が経過後、次の画面（不図示）に切り換えられる。
【０４３７】
このようにして、全国大会の開催を告知する画面が表示される。
【０４３８】
図２８のフローチャートの説明に戻る。ステップＳ２０９において、全国告知期間ではないと判定された場合、ステップＳ２１１に処理は進められる。ステップＳ２１１において、全国大会投票期間であるか否かが判定される。
【０４３９】
ステップＳ２１１において、全国大会投票期間であると判定された場合、ステップＳ２１２に処理は進められる。ステップＳ２１２において、全国大会投票受け付け処理が実行される。ステップＳ２１２において実行される全国大会投票受け付け処理について、図５３のフローチャートを参照して説明する。
【０４４０】
全国大会の投票は、地方大会の投票（図４４のフローチャートを参照して説明した処理）と基本的に同様に行われる。図５３に示した全国投票受け付け処理と、図４４に示した地方投票受け付け処理は、基本的に同様な処理のため、その詳細な説明は省略する。
【０４４１】
ステップＳ５０１において、通信はできるか否かが判定され、通信はできる状態であると判定されると、ステップＳ５０２に処理は進められる。ステップＳ５０２において、表示位置を変更するか否かが判定され、表示位置を変更すると判定された場合、ステップＳ５０３に処理が進められ、表示位置を変更した投票画面が表示され、表示位置を変更しないと判定された場合、ステップＳ５０４に処理が進められ、表示位置が前回と同じ投票画面が表示される。図５４、図５５に全国大会における投票画面の一例を示す。
【０４４２】
ステップＳ５０３またはステップＳ５０４においてタブレット内蔵モニタ１３１には、図５４に示すような画面が表示される。図５４に示した画面は、利用者に全国大会の投票の受け付けが開始されたことを知らせるメッセージとして、“ついにファイナル”、“全国投票スタート”といったメッセージが表示されている。
【０４４３】
このようなメッセージが表示されている画面が、所定の時間だけ提示された後、図５５に示すような投票画面に、画面が切り替えられる。図５５に示した全国大会における画面は、図４５に示した地方大会における画面と同様であるが、上部に表示されているメッセージが“全国予選ファイナリスト”との表示にされ、地方予選を通過し、全国大会に出場した出場者たちが表示されていることを示す表示がされている。
【０４４４】
また各顔画像表示部９０１の左上側に表示されている代表地区名も、どの地区から選出された出場者であるかを示す表示に変更されている。例えば、顔画像表示部９０１−１には、“北海道代表”といった表示があり、顔画像表示部９０１−１に表示されている出場者は、北海道地区での地区予選を勝ち抜いた出場者であり、北海道の代表者として出場していることがわかる表示がなされている。
【０４４５】
このように、１出場者に関わる情報として、画像、名前、代表地区名が、１つの顔画像表示部９０１に表示される。これらの情報は、コンテスト情報管理サーバ７１１から供給される。このことは、上記した地区大会における場合と同様であるが、全国大会においては、写真シール作成装置１側で、設定されている地域情報に合致する情報を抽出する必要はない点が異なる。
【０４４６】
すなわち、全国大会の場合、全国、この場合日本国内に設置されている全ての写真シール作成装置１に対して同一の情報を供給し、写真シール作成装置１側では、供給された情報から地域情報に合致する情報を抽出することなく、図５５に示すような投票画像を生成し、利用者に提示する。
【０４４７】
このような投票画面が閲覧され、利用者により投票が行われる（ステップＳ５０５乃至Ｓ５０７の処理）。そして、ステップＳ５０８において、アドレスの入力があったか否かが判定され、アドレスの入力はあったと判定された場合、図５６に示すような画面に切り替えられる。図５６に示した画面には、ファイナリストの詳細な情報を電子メールで取得するときに操作されるボタン８７１が表示されている。
【０４４８】
一方、ステップＳ５０１において、通信は行えないと判定された場合や、ステップＳ５０８において、アドレスは入力されていなかったと判定された場合、ステップＳ５１０の処理として、図５７に示すような画面が表示される。図５７に示した画面には、“女子高生ミスコン”というキーワードでサイトをチェックしてねという意味を表す表示部８０２が設けられている。
【０４４９】
図５６に示した画面または図５７に示した画面は、所定の時間が経過後、次の画面（不図示）に切り換えられる。
【０４５０】
このようにして全国大会における投票が行われる。
【０４５１】
図２８のフローチャートの説明に戻る。ステップＳ２１１において、全国大会投票期間ではないと判定された場合、ステップＳ２１３に処理は進められる。ステップＳ２１３において、最終結果発表日告知期間であるか否かが判定される。
【０４５２】
ステップＳ２１３において、最終結果発表日告知期間であると判定された場合、ステップＳ２１４に処理は進められる。ステップＳ２１４において、最終結果発表日告知処理が実行される。ステップＳ２１４において実行される最終結果発表日告知処理について、図５８のフローチャートを参照して説明する。
【０４５３】
最終結果発表日告知処理は、地方投票開催告知処理（図４１のフローチャートに基づく処理）や、開催告知処理（図２９のフローチャートに基づく処理）と同様に行うことが可能であるため、詳細な説明は適宜省略する。
【０４５４】
ステップＳ５５１において、通信はできるか否かが判定され、通信はできる状態であると判定されると、ステップＳ５５２に処理は進められ、アドレスの入力はあったか否かが判定される。ステップＳ５５２において、アドレスの入力はあったと判定された場合、ステップＳ５５３に処理は進められる。ステップＳ５５３において、図５９に示すようなメール送信ボタン有りの画面が、タブレット内蔵モニタ１３１上に表示される。
【０４５５】
図５９に示した画面には、“２０１６年３月２８日  ついにグランプリ決定”といったメッセージが表示されている。このようなメッセージによりコンテストの最終的な結果が３月２８日に決定されることが明確に告知された画面が、タブレット内蔵モニタ１３１上に表示される。
【０４５６】
また画面右側には、大きな円形のボタン８５１が表示されている。このボタン８５１内には、“ここをＰＵＳＨ”、“詳細メールが携帯に届くよ”というメッセージが表示されており、利用者は、このボタン８５１を操作することで、全国大会の結果発表に関する情報を、電子メールで取得できることを認識することができる。
【０４５７】
このような画面がタブレット内蔵モニタ１３１上に表示されているときに、ボタン８５１が操作されると、入力されていたメールアドレスに対して、電子メールが送信される。複数の利用者のメールアドレスが入力されていた場合には、同一内容の電子メールが、その複数の利用者に対して送信される。
【０４５８】
このような画面がタブレット内蔵モニタ１３１上に表示され、ボタン８５１が操作されることなく、所定の時間が経過すると、タブレット内蔵モニタ１３１上の画面は、次の画面（不図示）に切り換えられる。
【０４５９】
一方、ステップＳ５５１において、通信はできないと判定された場合、またはステップＳ５５２においてアドレスの入力はなかったと判定された場合、ステップＳ５５４に処理は進められ、図６０に示すようなメール送信ボタン無しの画面がタブレット内蔵モニタ１３１上に表示される。
【０４６０】
図６０に示した画面は、図５９に示したメール送信ボタン有りの画面と比較し、ボタン８５１が表示されていない点が異なり、ボタン８５１の代わりに、“女子高生ミスコン”というキーワードでサイトをチェックしてねという意味を表す表示部８０２が設けられている。図６０に示した画面は、所定の時間が経過後、次の画面（不図示）に切り換えられる。
【０４６１】
このようにして、最終結果の発表日を告知する画面が表示される。
【０４６２】
図２８のフローチャートの説明に戻る。ステップＳ２１３において、最終結果発表日告知期間ではないと判定された場合、ステップＳ２１５に処理は進められる。ステップＳ２１５において、最終結果発表処理が実行される。ステップＳ２１５において実行される最終結果発表告知処理について、図６１のフローチャートを参照して説明する。
【０４６３】
最終結果発表告知処理は、地方投票開催告知処理（図４１のフローチャートに基づく処理）や、開催告知処理（図２９のフローチャートに基づく処理）と同様に行うことが可能であるため、詳細な説明は適宜省略する。
【０４６４】
ステップＳ６０１において、通信はできるか否かが判定され、通信はできる状態であると判定されると、ステップＳ６０２に処理は進められ、アドレスの入力はあったか否かが判定される。ステップＳ６０２において、アドレスの入力はあったと判定された場合、ステップＳ６０３に処理は進められる。ステップＳ６０３において、図６２に示すようなメール送信ボタン有りの画面が、タブレット内蔵モニタ１３１上に表示される。
【０４６５】
図６２に示した画面には、“２０１５年度女子高生ミスコン  グランプリ決定”といったメッセージが表示されている。このようなメッセージによりコンテストの最終的な結果が出たことを明確に告知する画面が、タブレット内蔵モニタ１３１上に表示される。
【０４６６】
また画面右側には、大きな円形のボタン８５１が表示されている。このボタン８５１内には、“ここをＰＵＳＨ”、“詳細メールが携帯に届くよ”というメッセージが表示されており、利用者は、このボタン８５１を操作することで、全国大会の結果に関する情報を、電子メールで取得できることを認識することができる。
【０４６７】
このような画面がタブレット内蔵モニタ１３１上に表示されているときに、ボタン８５１が操作されると、入力されていたメールアドレスに対して、電子メールが送信される。複数の利用者のメールアドレスが入力されていた場合には、同一内容の電子メールが、その複数の利用者に対して送信される。
【０４６８】
このような画面がタブレット内蔵モニタ１３１上に表示され、ボタン８５１が操作されることなく、所定の時間が経過すると、タブレット内蔵モニタ１３１上の画面は、次の画面（不図示）に切り換えられる。
【０４６９】
なおここでは、コンテストの最終結果を、電子メールで送信するとしたが、グランプリと準グランプリの出場者の顔写真や名前などが表示されている画面が、利用者に提示されることで、コンテストの最終結果が、利用者に提供されるようにしても良い。図６２に示した画面内に、グランプリと準グランプリの出場者の顔写真や名前などを表示するようにしても良い。
【０４７０】
一方、ステップＳ６０１において、通信はできないと判定された場合、またはステップＳ６０２においてアドレスの入力はなかったと判定された場合、ステップＳ６０４に処理は進められ、図６３に示すようなメール送信ボタン無しの画面がタブレット内蔵モニタ１３１上に表示される。
【０４７１】
図６３に示した画面は、図６２に示したメール送信ボタン有りの画面と比較し、ボタン８５１が表示されていない点が異なり、ボタン８５１の代わりに、“女子高生ミスコン”というキーワードでサイトをチェックしてねという意味を表す表示部８０２が設けられている。図６２に示した画面は、所定の時間が経過後、次の画面（不図示）に切り換えられる。
【０４７２】
このようにして、最終結果を発表する画面が表示される。
【０４７３】
このように、本技術においては、写真シール作成装置１で撮影された画像で、コンテストに出場者として参加することができ、また、写真シール作成装置１でコンテストの投票を行うことができるため、コンテストに参加することに対するハードルを下げることができる。このようなことが可能となることで、写真シール作成装置１に対する利用者の満足度を向上させ、集客率を向上させることが可能となる。
【０４７４】
＜他の実施の形態について＞
上記した実施の形態においては、人数コースとして２人用コースが選択されていたときに、コンテストへのエントリーが受け付けられるとして説明をしたが、２人用コース以外のコースが選択された場合でも、エントリーが受け付けられるようにしても良い。
【０４７５】
例えば、１人用コースが選択された場合、写り選択用撮影（図１７のステップＳ３１）、アップ撮影（図１７のステップＳ３２）、または全身撮影（図１７のステップＳ３３）において得られた撮影画像でエントリーが行えるようにしても良い。
【０４７６】
また例えば、３人用コース、４人用コースまたは５人以上用コースが選択された場合、写り選択用撮影（図１７のステップＳ３１）、アップ撮影（図１７のステップＳ３２）、または全身撮影（図１７のステップＳ３３）において得られた撮影画像から、顔認識処理により、各利用者の顔が認識され、撮影画像から切り出されて、それぞれの顔画像が取得されるようにしても良い。そして、取得された顔画像でエントリーが行えるようにしても良い。
【０４７７】
顔認識処理が行われることで、例えば、目を閉じている利用者の顔は認識されず、そのような目を閉じているような画像でエントリーが行われてしまうことを防ぐことが可能となる。
【０４７８】
このように、２人用コース以外のときにも、エントリーが行えるようにしても良い。写真シール作成装置１は、２人で利用されることが多いため、２人用コースが選択されたときに、コンテストへのエントリーが受け付けられるようにしておけば、ほとんどの利用者に対してエントリーの処理を行わせることができる。
【０４７９】
さらに、２人用コース以外のときも、エントリーが行えるようにすることで、さらに多くの利用者に対して、エントリーの処理を行わせることができる。
【０４８０】
また、上記した実施の形態においては、メールアドレスが入力された場合、エントリーの受け付けが行われるとして説明したが、メールアドレスの入力が無い場合でも、エントリーの受け付けが行われるようにしても良い。
【０４８１】
設定されている時間内にメールアドレスを入力できなかった場合、コンテストへのエントリーが行えない可能性があり、エントリーが行えないことで、利用者の満足度が低下してしまう可能性がある。時間内にメールアドレスを入力できなかったような場合でもエントリーが行えるような処理が行われるようにしても良い。
【０４８２】
例えば、写真シール作成装置１では、撮影された画像（編集された画像）が、シール紙に印刷され、利用者に提供されるが、このシール紙に、ゲームIDが印字されるようにする。このゲームIDは、ゲーム毎に発行されるIDとされ、写真シール作成装置１で撮影された画像と関連付けられて写真シール作成装置１側やコンテスト情報管理サーバ７１１側で管理される。コンテスト情報管理サーバ７１１は、写真シール作成装置１でゲームが行われたとき、コンテストへのエントリーがなかったような場合でも、撮影画像を保存するようにする。
【０４８３】
利用者は、シール紙を受け取った後、コンテスト情報管理サーバ７１１にアクセスし、ゲームIDを入力する。コンテスト情報管理サーバ７１１は、ゲームIDにより、アクセスしてきた利用者の画像を特定し、その画像でのコンテストへのエントリーを受け付ける。
【０４８４】
このように、写真シール作成装置１を利用した後の時点でも、コンテストへのエントリーを可能とする処理が実行されるようにしても良い。このようにすることで、より多くの利用者をコンテストに参加させることが可能となる。
【０４８５】
またこのようにした場合、コンテスト情報管理サーバ７１１を画像取得サイトを管理するサーバとしても良い。画像取得サイトは、写真シール作成装置１を利用した利用者の画像を管理し、利用者が望む端末に画像をダウンロードできるようにするサイトである。このようなサイトを利用するには、通常、会員登録が必要とされる。また会員は、有料会員と無料会員とがある。
【０４８６】
このようなサイト上でもコンテストへのエントリーが受け付けられるようにしても良い。このようなサイトでエントリーの受け付けが行えるようにすることで、写真シール作成装置１以外でもエントリーが行えるようになり、より多くの利用者をコンテストに参加させることが可能となる。また、そのようなサイトに会員登録数も増やすことが可能となる。
【０４８７】
上記した実施の形態においては、１人用コースが選択されているときには、１回の投票、それ以外のコースが選択されているときには、２回の投票が行われるとして説明した。この投票回数は、撮影人数に応じて変更されるようにしても良い。
【０４８８】
すなわち、撮影人数と同数の投票が行われるようにしても良い。人数コースで選択されたコースに応じて投票回数が設定されるようにしても良い。また撮影画像から顔認識処理により、顔認識し、撮影されている人数を検出し、その検出された人数と同数の投票が行われるようにしても良い。例えば、撮影画像から、顔認識処理により、３人の顔が認識された場合、３回の投票が受け付けられるようにしても良い。
【０４８９】
また投票は、上記した実施の形態においても記載したが、コンテストサイト管理サーバ７１２が管理するサイト上でも行えるようにしても良い。また、コンテストサイト管理サーバ７１２が管理するサイトは、上記した画像取得サイトとすることも可能である。
【０４９０】
また、画像取得サイトへの登録種別により、投票権限が変更されるようにしても良い。例えば、画像取得サイトに有料会員として登録している利用者は、無料会員や非会員よりも多くの投票数を有するようにしても良い。このように、サイトの登録種別により投票の権限を変えることで、より良い権限をえるために、サイトに登録する利用者も増え、サイト登録者の会員数を増やすことが可能となる。
【０４９１】
さらに投票は、ＳＮＳ（Social Networking Service）を利用して行われるようにしても良い。
【０４９２】
なお、上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０４９３】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０４９４】
この記録媒体は、例えば、図９に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成される。また、これらだけでなく、記録媒体は、装置本体にあらかじめ組み込まれた状態で管理者に配信されるプログラムが記録されているROM２０６や、記憶部２０２に含まれるハードディスクなどで構成される。
【０４９５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０４９６】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０４９７】
また、本技術の実施の形態は、上述した実施の形態に限定されるものではなく、本技術の要旨を逸脱しない範囲において種々の変更が可能である。
【符号の説明】
【０４９８】
１  写真シール作成装置
１１  撮影ユニット
１２  編集ユニット
２０  事前選択部
２１  撮影部
２２  背景部
２０１  制御部
２０８  事前選択部
２０９  撮影部
２１０  編集部
２１１  印刷部
３０１  事前選択処理部
３０２  撮影処理部
３０３  編集処理部
３０４  印刷処理部
３１１  表示制御部
３２１  表示制御部
３２３  撮影制御部
３３１  表示制御部
３３６  コンテスト制御部
【要約】
【課題】コンテストへの参加を気楽に行えるようにする。
【解決手段】利用者を所定の回数撮影する撮影部と、撮影部による撮影の結果、得られた第１の画像と、設定されている所定の範囲を表す第１の情報を関連付けて、他の装置に供給する供給部と、他の装置から、所定の範囲を表す第２の情報と関連付けられた利用者の画像であり、第１の画像とは異なる第２の画像を取得する取得部と、取得部により取得された第２の画像のうち、第１の情報と一致する第２の情報と関連付けられている第２の画像を抽出する抽出部と、抽出部により抽出された第２の画像を表示する表示部と、表示部に表示された第２の画像に対する利用者による選択を受け付ける受付部とを備える。本技術は、利用者を撮影し、シール紙に印刷して提供する写真シール作成装置に適用できる。
【選択図】図２１【図１】
0005963028.tif 000002
【図２】
0005963028.tif 000003
【図３】
0005963028.tif 000004
【図４】
0005963028.tif 000005
【図５】
0005963028.tif 000006
【図６】
0005963028.tif 000007
【図７】
0005963028.tif 000008
【図８】
0005963028.tif 000009
【図９】
0005963028.tif 000010
【図１０】
0005963028.tif 000011
【図１１】
0005963028.tif 000012
【図１２】
0005963028.tif 000013
【図１３】
0005963028.tif 000014
【図１４】
0005963028.tif 000015
【図１５】
0005963028.tif 000016
【図１６】
0005963028.tif 000017
【図１７】
0005963028.tif 000018
【図１８】
0005963028.tif 000019
【図１９】
0005963028.tif 000020
【図２０】
0005963028.tif 000021
【図２１】
0005963028.tif 000022
【図２２】
0005963028.tif 000023
【図２３】
0005963028.tif 000024
【図２４】
0005963028.tif 000025
【図２５】
0005963028.tif 000026
【図２６】
0005963028.tif 000027
【図２７】
0005963028.tif 000028
【図２８】
0005963028.tif 000029
【図２９】
0005963028.tif 000030
【図３０】
0005963028.tif 000031
【図３１】
0005963028.tif 000032
【図３２】
0005963028.tif 000033
【図３３】
0005963028.tif 000034
【図３４】
0005963028.tif 000035
【図３５】
0005963028.tif 000036
【図３６】
0005963028.tif 000037
【図３７】
0005963028.tif 000038
【図３８】
0005963028.tif 000039
【図３９】
0005963028.tif 000040
【図４０】
0005963028.tif 000041
【図４１】
0005963028.tif 000042
【図４２】
0005963028.tif 000043
【図４３】
0005963028.tif 000044
【図４４】
0005963028.tif 000045
【図４５】
0005963028.tif 000046
【図４６】
0005963028.tif 000047
【図４７】
0005963028.tif 000048
【図４８】
0005963028.tif 000049
【図４９】
0005963028.tif 000050
【図５０】
0005963028.tif 000051
【図５１】
0005963028.tif 000052
【図５２】
0005963028.tif 000053
【図５３】
0005963028.tif 000054
【図５４】
0005963028.tif 000055
【図５５】
0005963028.tif 000056
【図５６】
0005963028.tif 000057
【図５７】
0005963028.tif 000058
【図５８】
0005963028.tif 000059
【図５９】
0005963028.tif 000060
【図６０】
0005963028.tif 000061
【図６１】
0005963028.tif 000062
【図６２】
0005963028.tif 000063
【図６３】
0005963028.tif 000064